(57)【要約】  本補聴器フィッティング装置（１）は、複数の聴力データ、および各聴力データ毎の補聴調整結果データが蓄積された顧客データ収納部（１０）と、顧客データ収納部（１０）と聴力入力部（１２）とが、その入力側に接続された近傍ユーザ特定部（１１）と、近傍ユーザ特定部（１１）の出力側に接続されたクラスタリング部（１３）と、クラスタリング部（１３）の出力側に接続された代表特性特定部（１４）と、代表特性特定部（１４）の入力側に接続された初期調整候補選択部（１５）と、代表特性特定部（１５）の出力側に接続された微調整部（１６）と、を備える。
2011132403.tif 000002
【特許請求の範囲】
【請求項１】
使用者の聴力データが入力される聴力入力部と、
前記聴力入力部から入力された聴力データに類似する複数の聴力データに対する複数の補聴調整結果データを類似度合いに基づいて分類した各クラスタに含まれる代表的な補聴調整結果データを代表特性としてそれぞれ抽出する代表特性特定部と、
前記代表特性特定部によって代表特性として抽出された複数の補聴調整結果データを補聴特性として切り替えながら出力して、前記使用者にとって最適なものを選択させる初期調整候補選択部と、
前記初期調整候補選択部によって切り替えられた複数の補聴調整結果データから選択された補聴調整結果データを、前記使用者にとってさらに適合するように微調整を行う微調整部と、
を備えている補聴器フィッティング装置。
【請求項２】
前記聴力入力部から入力された聴力データに類似する複数の聴力データに対する複数の補聴調整結果データを、複数の聴力データに対応する複数の補聴調整結果データを保存した顧客データ収納部から特定して引き出す近傍ユーザ特定部と、
前記近傍ユーザ特定部において引き出された複数の前記補聴調整結果データを類似度合いに基づいて分類するクラスタリング部と、
さらに備えている、
請求項１に記載の補聴器フィッティング装置。
【請求項３】
前記顧客データ収納部には、前記聴力データごとに予め類似度合いに基づいて複数に分類された複数のクラスタと、前記複数のクラスタごとに対応する代表的な補聴調整結果データとが予め保存されており、
前記代表特性特定部は、入力された前記聴力データに対応する複数の前記クラスタの中から代表的な前記補聴調整結果データを前記顧客データ収納部から抽出する、
請求項１に記載の補聴器フィッティング装置。
【請求項４】
予め複数の聴力データにそれぞれ対応する補聴調整結果データを保存した顧客データ収納部を、さらに備えている、
請求項１から３のいずれか１項に記載の補聴器フィッティング装置。
【請求項５】
前記微調整部は、前記補聴調整結果データを微調整するための調整値を入力する調整値入力部と、前記調整値入力部から前記調整値が入力され前記補聴調整結果データを前記調整値に基づいて書き換える調整値書換え部と、前記調整値書換え部において書き換えられた前記補聴調整結果データを前記補聴器に書き込む補聴器書き込み部と、を有する、
請求項１から４のいずれか１項に記載の補聴器フィッティング装置。
【請求項６】
補聴器使用者の聴力データが入力される入力部と、
前記補聴器から複数種類の使用環境毎の使用環境ログデータおよび前記複数種類の使用環境毎の調整値パラメータを読み込む補聴器読込み部と、
前記補聴器読込み部において読み込まれた前記聴力データ、前記使用環境ログデータおよび前記調整値パラメータを送信する送信部と、
前記送信部から送信された前記補聴器使用者の前記聴力データに近いユーザを抽出し、抽出された前記ユーザが設定している複数の使用環境の内から、前記補聴器使用者が設定している複数の使用環境に対応する使用環境毎の調整値パラメータを抽出し、抽出された前記使用環境毎の調整値パラメータから、前記補聴器使用者の使用環境ログデータに近い使用環境毎の調整値パラメータを抽出して送信する調整値パラメータ抽出部と、
前記調整値パラメータ抽出部において抽出、送信された複数種類の使用環境毎の調整値パラメータを受信する受信部と、
前記調整値パラメータを、前記補聴器の調整値データ収納部に書き込む補聴器書込み部と、
を備えている補聴器フィッティング装置。
【発明の詳細な説明】
【技術分野】
【０００１】
本発明は、補聴器の使用設定を行う補聴器フィッティング装置に関するものである。
【背景技術】
【０００２】
補聴器フィッティング装置は、補聴器の補聴特性を、この補聴器使用者の聴力に合わせて設定するものである。
実際の設定時には、先ず、使用者の聴力を、可聴周波数帯の低音から高音にわたって測定し、その測定結果である聴力データに基づいて、補聴特性を調整する。しかし、その調整作業は、熟練者が行ったとしても、長時間かかってしまうことが多い。【０００３】
すなわち、音の聞こえ方に対する感覚は、個人ごとに、また測定環境（季候、測定空間の大きさ等）、時間、使用者の体調などによっても大きく異なる。このため、調整者が調整を進めて徐々に最終値に追い込んでいるつもりでも、使用者が、先程の音の方が良かったと言って、調整作業が逆戻りしてしまうこともしばしば発生し、調整時間が長時間となってしまう。【０００４】
そこで、従来は、対話型遺伝的アルゴリズムを利用することで、補聴特性を短時間で設定できるようにする取り組みも検討されている（例えば、下記特許文献１）。
【先行技術文献】
【特許文献】
【０００５】
【特許文献１】特開２００１−１７５６３７号公報
【発明の概要】
【０００６】
対話型遺伝的アルゴリズムを利用して補聴特性の設定を行う場合、補聴器使用者の聴力に合わせて複数の補聴特性を用意し、これを比較しながら最終的に選択する補聴特性を選び出していく。このため、場合によっては、調整時間は短くなることもある。しかしながら、このような対話型遺伝的アルゴリズムを利用する場合でも、一つずつの補聴特性を設定する時には、従来と同じように、調整者は、使用者との対話に基づいて、時間をかけて調整する作業が必要となり、結果として調整時間が長時間となってしまうおそれがあった。
【０００７】
また、以上のようにして補聴特性を設定したにも関わらず、使用者が実生活で使用してみると、必ずしも満足できない場合がある。具体的には、上述したような補聴器設定を行った場所の音環境と実使用時の音環境とが大きく異なる場合には、補聴器使用者は、実使用時に不満感を抱くおそれがある。
【０００８】
本発明は、補聴器の使用設定を短時間で行うことができるとともに、補聴器の設定に対する補聴器使用者の満足度を高めることを目的とするものである。
【０００９】
（課題を解決するための手段）
本発明の補聴器フィッティング装置は、聴力入力部と、代表特性特定部と、初期調整候補選択部と、微調整部と、を備えている。聴力入力部は、使用者の聴力データが入力される。代表特性特定部は、聴力入力部から入力された聴力データに類似する複数の聴力データに対する複数の補聴調整結果データを類似度合いに基づいて分類した各クラスタに含まれる代表的な補聴調整結果データを代表特性としてそれぞれ抽出する。初期調整候補選択部は、代表特性特定部によって代表特性として抽出された複数の補聴調整結果データを補聴特性として切り替えながら出力して、使用者にとって最適なものを選択させる。微調整部は、初期調整候補選択部によって切り替えられた複数の補聴調整結果データから選択された補聴調整結果データを、使用者にとってさらに適合するように微調整を行う。
【００１０】
本発明の補聴器フィッティング装置は、補聴器使用者の聴力データが入力される入力部と、補聴器から複数種類の使用環境毎の使用環境ログデータおよび複数種類の使用環境毎の調整値パラメータを読み込む補聴器読込み部と、補聴器読込み部において読み込まれた聴力データ、使用環境ログデータおよび調整値パラメータを送信する送信部と、送信部から送信された補聴器使用者の聴力データに近いユーザを抽出し、抽出されたユーザが設定している複数の使用環境の内から、補聴器使用者が設定している複数の使用環境に対応する使用環境毎の調整値パラメータを抽出し、抽出された使用環境毎の調整値パラメータから、補聴器使用者の使用環境ログデータに近い使用環境毎の調整値パラメータを抽出して送信する調整値パラメータ抽出部と、調整値パラメータ抽出部において抽出、送信された複数種類の使用環境毎の調整値パラメータを受信する受信部と、調整値パラメータを、補聴器の調整値データ収納部に書き込む補聴器書込み部と、を備えている。
【００１１】
（発明の効果）
本発明の補聴器フィッティング装置によれば、調整者は聴力入力部を介して聴力データを入力するだけで、この聴力データに類似する複数の聴力データに対する補聴調整結果データが出力される。そして、これらの補聴調整結果データは、そのような聴力を持つ多くの人の嗜好も考慮したものとなっているため、従来のように、選択すべき特性を作成する必要がなくなる。この結果、補聴器の使用設定を、短時間で行うことができる。また、選択された補聴調整結果データは、微調整部により微調整を行うので、使用者にマッチした補聴特性となり、使用感の良い、補聴効果の高いものとなる。
【図面の簡単な説明】
【００１２】
【図１】本発明の一実施の形態に係る補聴器フィッティング装置を説明するための模式図。
【図２】図１の補聴器フィッティング装置の制御ブロック図。
【図３】図１の補聴器フィッティング装置を用いた補聴器フィッティング方法を説明するための図。
【図４】図１の補聴器フィッティング装置を用いた補聴器フィッティング方法を説明するための図。
【図５】図１の補聴器フィッティング装置の顧客クラスデータ収納部に格納される聴力／クラス対応表とクラス／代表特性の対応表とを示す図。
【図６】図１の補聴器フィッティング装置の顧客クラスデータ収納部に格納される表を示す図。
【図７】図１の補聴器フィッティング装置の制御ブロック図。
【図８】本発明の一実施の形態に係る補聴器フィッティングシステムとそれを用いたフィッティング方法を説明するための模式図。
【図９】図８の補聴器フィッティングシステムの制御ブロック図。
【図１０】図８の補聴器フィッティングシステムの制御ブロック図。
【図１１】（ａ）、（ｂ）および（ｃ）は、図８の補聴器フィッティングシステムの動作の流れを示すフローチャート。
【図１２】図８の補聴器フィッティングシステムにおける補聴器の補聴値データ収納部を示す図。
【図１３】図８の補聴器フィッティングシステムにおける補聴器の補聴値データ収納部を示す図。
【図１４】図８の補聴器フィッティングシステムの動作状態を示す図。
【図１５】図８の補聴器フィッティングシステムの動作状態を示す図。
【図１６】図８の補聴器フィッティングシステムの動作状態を示す図。
【図１７】図８の補聴器フィッティングシステムの動作状態を示す図。
【発明を実施するための形態】
【００１３】
（実施形態１）
以下、本発明の一実施形態について、添付図面を用いて説明する。
本実施形態の補聴器フィッティング装置１は、図１に示すように、表面に、入力部２と表示部３を備えている。補聴器フィッティング装置１と補聴器４とは、接続ボックス５、配線６，７を介して互いに接続されている。なお、補聴器４は、使用者８の左耳用、右耳用と別々に用意されるが、図１では説明の便宜上、右耳用だけを示している。
【００１４】
調整者９は、補聴器フィッティング装置１を操作して、補聴器４の使用設定を行う。
図２は、補聴器フィッティング装置１の制御ブロックを示している。
補聴器フィッティング装置１は、顧客データ収納部１０と、近傍ユーザ特定部１１と、聴力入力部１２と、クラスタリング部１３と、代表特性特定部１４と、初期調整候補選択部１５と、微調整部１６と、表示部３とを備えている。
【００１５】
顧客データ収納部１０には、過去に多くの人々の補聴器４の使用設定作業によって取得された複数の聴力データと、上記複数の聴力データのそれぞれに対応する補聴調整結果データとが蓄積されている。つまり、過去の他の使用者も、補聴器４の使用設定作業は、必ず、先ず聴力測定を行った後、調整を行って最終的な補聴特性を設定している。このため、聴力測定によって得られた聴力データと、この聴力データに対応する最終的な補聴特性である補聴調整結果データとが、関連付けられたセットにされて、顧客データ収納部１０に蓄積されている。
【００１６】
また、顧客データ収納部１０は、近傍ユーザ特定部１１の入出力部に接続されている。さらに、近傍ユーザ特定部１１の他の入出力部には、聴力入力部１２が接続されている。
聴力入力部１２に入力される聴力データは、音の静かな測定空間において、可聴周波数帯の低音から高音にわたって使用者の聴力を測定し、その結果として得られたものである。
【００１７】
また、近傍ユーザ特定部１１の出力側には、クラスタリング部１３が接続されている。さらに、クラスタリング部１３の出力側には、代表特性特定部１４が接続されている。また、代表特性特定部１４の入力側には、初期調整候補選択部１５が接続されている。さらに、代表特性特定部１４の出力側には、表示部３と微調整部１６とが接続されている。
【００１８】
微調整部１６は、入力部２（図１参照）に設けられた調整値入力部１７と、調整値入力部１７から調整値が入力される調整値書換え部１８と、調整値書換え部１８の出力側に接続された補聴器書き込み部１９と、代表特性特定部１４、調整値書換え部１８、表示部３に接続されたメイン調整値メモリ２０と、を備えている。なお、聴力入力部１２と調整値入力部１７とは、入力部２（図１参照）に含まれる。
【００１９】
次に、補聴器フィッティング方法について、図２および図３を用いて説明する。
【００２０】
先ず、図２および図３に示すように、聴力入力部１２から使用者８の聴力データが入力される。すると、近傍ユーザ特定部１１において、聴力入力部１２から入力された聴力データに類似する複数の聴力データに対する補聴調整結果データが、顧客データ収納部１０から特定されて引き出される。
【００２１】
より詳細には、顧客データ収納部１０には、上述したように、過去に行われた他の使用者の補聴器４の使用設定作業に取得された聴力測定により得られた聴力データと、この聴力データに対応する最終的な補聴特性である補聴調整結果データとが、関連付けされた状態で蓄積されている。例えば、図３に示すように、予めＡさん、Ｂさん、Ｃさん、Ｄさん、Ｅさん、Ｆさん、Ｇさん、Ｈさん、それぞれの聴力測定により得られた聴力データと、これらの聴力データに対する最終的な補聴特性である補聴調整結果データとが、セットとして顧客データ収納部１０に蓄積されている。
【００２２】
次に、聴力入力部１２に対して、今から調整が行われる補聴器の使用者８であるαさんの聴力データが入力されると、近傍ユーザ特定部１１において、聴力入力部１２から入力されたαさんの聴力データに類似する複数の聴力データ（Ａさん、Ｂさん、Ｃさん、Ｄさん）に対応する補聴調整結果データが、顧客データ収納部１０から特定されて引き出される。このとき、使用者８であるαさんの聴力データと、Ａさん等の聴力データとが類似するか否かは、例えば、下記のようにして判定することができる。
【００２３】
つまり、各人の聴力データの測定周波数範囲において、複数点の周波数における可聴レベルをそれぞれ記録することにより、この聴力データを一本の線として認識する。そして、補聴データを一本の線として認識できるので、線同士の形（レベルの高さ、傾斜状態等）を比較することにより、αさんの聴力データに類似する、Ａさん、Ｂさん、Ｃさん、Ｄさんの聴力データを選出することができる。よって、Ａさん、Ｂさん、Ｃさん、Ｄさんの最終的な補聴特性である補聴調整結果データを、近傍ユーザ特定部１１に引き出すことができる。また、このような近傍ユーザの特定方法としては、顧客の聴力データをベクトル表示し、ベクトル間距離に基づいて近傍ユーザを特定してもよい。
【００２４】
次に、クラスタリング部１３において、近傍ユーザ特定部１１によって引き出された複数の補聴調整結果データのクラスタリングを行う。ここで、クラスタリングとは、複数の補聴調整結果データを、類似度合いに基づいて分類することである。ここで、このクラスタリングは、顧客の補聴調整結果データをベクトル表示し、ベクトル間距離に基づいて行うことができる。具体的には、例えば、公知のｋ−ｍｅａｎｓ法を利用することができる。
【００２５】
例えば、ＡさんとＢさんの最終的な補聴特性である補聴調整結果データが、互いに非常に類似している場合には、クラスタリング部１３は、ＡさんとＢさんの補聴調整結果データを同一のクラスタに分類する。結果として、クラスタリング部１３は、ＡさんとＢさんの補聴調整結果データを含む第１のクラスタと、Ｃさんの補聴調整結果データを含む第２のクラスタと、Ｄさんの補聴調整結果データを含む第３のクラスタとの３つのクラスタに分類する。
【００２６】
次に、代表特性特定部１４が、各クラスタから代表特性を抽出する。
本実施形態では、代表特性特定部１４は、例えば、第１のクラスタからＡさん、第２のクラスタからＣさん、第３のクラスタからＤさんの補聴調整結果データを代表特性として抽出し、これらを表示部３に出力される。
【００２７】
ここで、代表特性の特定には、各クラスタの平均や重心に一番近いユーザを代表特性として選択する方法を使うことができる。あるいは、各クラスタに含まれる全てのデータの重心データを代表特性とすることもできる。あるいは、各クラスタに含まれる全てのデータの平均値データを代表特性とすることもできる。
【００２８】
代表特性として平均や重心に一番近いユーザの補聴調整結果データを使用した場合には、そのユーザが調整を行った際のコメント等を参照することができるため、調整に対するより具体的な情報を得ることができる。また、各クラスタの平均や重心といった推定値を代表特性とした場合には、特に、クラスタ内のデータが少量で分散度が高い場合に、平均や重心に一番近いユーザをそのまま代表特性にするよりも、そのクラスタの代表特性に近い特性を表現することができる。よって、代表特性間の違いを、より明確にすることができる。
【００２９】
図４は、表示部３の表示内容を示したもので、Ａさん、Ｃさん、Ｄさんの最終的な補聴特性である補聴調整結果データが表示されている。なお、この図４においては、使用者８であるαさんの右耳用補聴器４の使用設定だけを説明するが、実際には、右耳用補聴器の使用設定が終われば、次に、左耳用補聴器の使用設定が行われるものとする。
【００３０】
次に、初期調整候補選択部１５によって、Ａさん、Ｃさん、Ｄさんの最終的な補聴特性である補聴調整結果データを、それぞれ補聴特性として切り替えながら、αさんに試聴させる。αさんがこれらを試聴した結果、例えば、最も適合するものとして、Ｄさんの補聴調整結果データが初期調整候補として選択されると、図４に示すように、表示部３にはＤさんの補聴調整結果データが表示される。
【００３１】
Ｄさんの補聴調整結果データは、メイン調整値メモリ２０を介して調整値書換え部１８に供給される。
次に、Ｄさんの補聴調整結果データに基づいて、調整値入力部１７によって、微調整が行われる。すなわち、αさんにとってより聞こえやすくなるように、初期調整候補のＤさんの補聴調整結果データを修正する。微調整されたＤさんの補聴調整結果データは、表示部３に表示される。
【００３２】
このとき、微調整前のデータである、Ｄさんの補聴調整結果データと、微調整後のＤさんの補聴調整結果データとが、２つ並べて表示されることが好ましい。具体的には、右耳用として、まず、微調整前のデータであるＤさんの補聴調整結果データが２つ並べて表示される。次に、微調整が終了すると、２つの表示部分のうち、一方の表示部分はＤさんの補聴調整結果データから微調整されたものに変更される。他方の表示部分は、Ｄさんの補聴調整結果データが表示されたままとする。左耳用の場合も同様である。
【００３３】
これにより、調整者９やαさんは、微調整前と微調整後の補聴調整結果データを一度に見ることができるので、それらの差分が視覚的に認識しやすいという効果がある。
この微調整が終了すると、調整者９によって決定ボタン２１が押下される。すると、補聴器書き込み部１９によって、補聴器４の補聴特性が書き換えられ、使用設定が完了する。また、αさんの聴力データと、最終的な補聴特性である補聴調整結果データとは、関連付けされたセットとして顧客データ収納部１０に蓄積される。
【００３４】
以上のように、本実施形態によれば、聴力入力部１２からαさんの聴力データを入力するだけで、この聴力データに類似する複数の聴力データに対する補聴調整結果データを、顧客データ収納部１０から近傍ユーザ特定部１１に引き出すことができる。そして、これらの補聴調整結果データは、互いに類似しないデータが複数選択されて出力されることで、そのような聴力を持つ多くの人の嗜好も考慮したものとなっているので、従来のように、選択すべき特性を作成する必要がない。この結果、補聴器４の使用設定を短時間で行うことができる。
【００３５】
さらに、各補聴調整結果データは類似度合いに基づいて分類されており、各クラスタ内の代表的な補聴調整結果データを抽出して出力しているため、同じクラスタに分類された類似した補聴調整結果データが何度も出力されることを回避できる。この結果、従来よりも効率的に補聴器のフィッティング処理を実施することができる。
【００３６】
また、選択された補聴調整結果データは、微調整部１６によって微調整されるため、使用者８（αさん）にマッチした補聴特性になるように設定することができるため、使用者８にとって使用感および補聴効果を向上させることができる。
【００３７】
なお、上記実施形態では、補聴器フィッティング装置１と補聴器４とを配線６、７で接続した例を挙げて説明した。しかし、本発明はこれに限定されるものではない。
例えば、補聴器フィッティング装置１と補聴器４とを、無線によって接続してもよい。
【００３８】
また、上記実施形態に係る補聴器フィッティング方法は、少なくともその一部をコンピュータがプログラムを実行することにより実現してもよい。プログラムは、ＣＤ−ＲＯＭ等の記録媒体又はインターネット等の伝送媒体を介して配信することができる。
【００３９】
（実施形態２）
本発明の他の実施形態に係る補聴器フィッティング装置について、図面を用いて以下で説明する。
【００４０】
ここで、上記実施形態１では、使用者８の聴力が入力された後で、顧客データ収納部１０から類似した聴力レベルの近傍ユーザを抽出し、抽出された近傍ユーザの調整結果に基づいてクラスタリングを行っていた。しかしながら、クラスタリング処理には計算時間がかかってしまう。
【００４１】
そこで、本実施形態の補聴器フィッティング装置では、予め聴力パターンを複数のクラス（以下、聴力クラスと示す。）に分類しておき、その各々の聴力クラスに対応した代表特性を複数用意している。
【００４２】
これにより、単に調整を行いたい使用者の持つ聴力レベルに基づいて代表特性を検索することにより、同様の聴力を持つ様々な嗜好を考慮した補聴特性を評価することができる。
【００４３】
なお、本実施形態では、各々の聴力クラスに対応して複数の代表特性を保持するデータベースを、顧客クラスデータベースと呼ぶ。
顧客クラスデータベースは、様々な聴力パターンをもつ大量の顧客が格納された顧客データ収納部のデータに基づいて予め作成しておくことができる。
【００４４】
例えば、聴力データをベクトル表現化しｋ−ＭＥＡＮＳ等の方法を用いてクラスタリングする。そして、このクラスタリングにより得られた各々のクラスごとに、そのクラスに属する顧客の調整結果に対して、再度、ｋ−ｍｅａｎｓ法等を用いてクラスタリングを行い、代表特性を抽出しておけばよい。
【００４５】
図５には、顧客クラスデータ収納部１１０の一例が図示されている。
聴力クラスは、予めｋ−ｍｅａｎｓ法等によって分類された聴力のクラスタを示している。代表特性は、そのクラスごとｋ−ｍｅａｎｓ法等を利用して求められた代表特性である。聴力クラスの各々に付与される聴力グラフは、そのクラスの重心、平均値などである。
【００４６】
図５に示すように顧客クラスデータ収納部１１０を構成することで、新たに調整を行いたい使用者の聴力がどの聴力クラスに属するかを、その使用者の聴力と最も近いクラスを特定することで判定し、そのクラスに格納された代表特性を特定することができる。
【００４７】
また、聴力クラスを、高音急墜型や高音漸傾型など聴力のパターンに基づいて予め作成しておいてもよい。すなわち、これより調整を行う補聴器使用者が属するクラスを特定することができるように、予め全ての聴力データについてクラスを定義しておく等することで実現できる。
【００４８】
具体的には、図６に示すように、顧客クラスデータ収納部１１０に、聴力／クラス対応表と、クラス／代表特性対応表を用意しておき、調整を行う補聴器の使用者の聴力がどのクラスに属するかを聴力／クラス対応表より検索する。そして、検索されたクラスに対応する代表特性を、クラス／代表特性対応表より検索して、利用すればよい。
【００４９】
上記補聴器フィッティング方法を実現するブロック構成を図７に示す。
本実施形態の補聴器フィッティング装置では、図２の近傍ユーザ特定部１１、クラスタリング部１３の代わりに、代表特性検索部３１を備えている。
【００５０】
代表特性検索部３１は、聴力入力部１２に入力された補聴器使用者の聴力レベルに基づいて、顧客データ収納部１０に格納された顧客データを用いて補聴器使用者の聴力クラスを特定し、代表特性を検索する。
【００５１】
以上の構成により、予め聴力クラスと、その各々の聴力クラスに対応する代表特性を予め用意しておくことで、毎回、補聴調整結果データのクラスタリングを行うことなく、上記実施形態１の構成と同様の効果を得ることができる。
【００５２】
これにより、計算時間を要するクラスタリング処理を行う必要がなくなるため、さらに効率よく、使用者に適合した補聴特性になるように補聴器を設定することができる。
さらに、各補聴調整結果データは類似度合いに基づいて予め分類されており、各クラスタ内の代表的な補聴調整結果データを１つずつ抽出して出力しているため、同じクラスタに分類された類似した補聴調整結果データが何度も出力されることを回避できる。この結果、従来よりも効率的に補聴器のフィッティング処理を実施することができる。
【００５３】
なお、本実施形態の構成は、顧客データ収納部１１０がネットワーク上に存在し、世界中の販売店からＷｅｂ経由で顧客データ収納部１１０を参照できるような環境、システムにおいて特に有効である。
【００５４】
（実施形態３）
本発明のさらに他の実施形態に係る補聴器フィッティング装置について、以下で説明する。
【００５５】
ここで、上記実施形態１，２では、図４に示すように、補聴器フィッティング装置の画面上に代表特性を表示し、それらの聞き比べができるように構成されていたが、調整者に対して代表特性を提示する方法としては、このような図示する方法に加えて、代表特性の性質が伝わるような方法であればどのような表現方法でも構わない。
【００５６】
例えば、図４に示すように、代表特性が３つ得られた場合、使用者に対して、「第１の候補です」、「第２の候補です」、「第３の候補です」とアナウンスを行ったうえで、それぞれの特性を補聴器に書き込み、それぞれ補聴特性に基づいて処理された音の試聴を行い、使用者に聞き比べてもらってもよい。
【００５７】
また、それぞれの代表特性の特徴を表す言語表現を、付加情報として格納しておき、グラフの代わりにその言葉を画面上に表示して、それらの中から補聴器に書き込む特性を選択してもよい。
【００５８】
（実施形態４）
本発明の一実施形態に係る補聴器フィッティングシステムについて、添付図面を用いて以下で説明する。
【００５９】
図８において、５１は補聴器で、使用者５２は左右両耳にそれぞれ装着される補聴器５１を有しているが、図８においては、その一方だけが接続されている。図８は、補聴器５１がフィッティング装置５３に接続され、フィッティングが行われる状態を示している。
【００６０】
本実施形態の補聴器フィッティングシステムは、図８に示すように、補聴器５１が接続されるフィッティング装置５３と、Ｗｅｂ共有サーバ５８と、を備えている。
フィッティング装置５３は、図８に示すように、フィッティング器５５と接続ボックス５４とを有している。接続ボックス５４は、補聴器５１とフィッティング器５５とを接続する。フィッティング装置５３は、フィッティングを行う調整者６０によって操作される。
【００６１】
フィッティング器５５は、図８に示すように、入力部５６と表示部５７とを備えている。さらに、フィッティング器５５は、回線５９を介してＷｅｂ共有サーバ５８に接続されている。
【００６２】
補聴器５１は、図９に示すように、マイクロフォン６１からレシーバ（スピーカ）６２に向けて順に、Ａ／Ｄ変換器６３、音環境識別部６４、補聴処理部６５、Ｄ／Ａ変換器６６が接続されている。音環境識別部６４には、使用環境ログデータ収納部６７が接続されている。さらに、補聴処理部６５には、調整値データ収納部６８が接続されている。また、補聴処理部６５と使用環境ログデータ収納部６７とには、入力部７０が接続されている。
【００６３】
フィッティング器５５は、上述のように、入力部５６と表示部５７とが接続されている。この内、入力部５６には、調整値書換え部６９が接続されている。表示部５７には、調整値メモリ７０ａが接続されている。調整値書換え部６９には、基本差分データ収納部７１とメモリラベル収納部７２と接続ボックス５４内の補聴器書込み部７３とが接続されている。
【００６４】
調整値メモリ７０ａには、サーバ送信部７４と、サーバ受信部７５と、補聴器読込み部７６とが接続されている。サーバ送信部７４は、補聴器５１を使用する使用者５２の聴力データおよび使用環境ログデータ、調整値パラメータを、Ｗｅｂ共有サーバ５８に送信する。サーバ受信部７５は、Ｗｅｂ共有サーバ５８から返信された複数種の使用環境毎の調整値パラメータを受信する。補聴器読込み部７６は、補聴器５１から使用環境ログデータと調整値パラメータを読み込む。
【００６５】
一方、Ｗｅｂ共有サーバ５８は、図１０に示すように、データ受信部７６ａと、データ送信部７７とを有する。データ受信部７６ａは、サーバ送信部７４から送信された使用者５２の聴力データおよび使用環境ログデータ、調整値パラメータを受信する。データ送信部７７は、サーバ受信部７５に対して、複数種の使用環境毎の調整値パラメータを送信する。
【００６６】
また、データ受信部７６ａの出力側には、データ格納部７８と近傍ユーザ特定部７９とが互いに並列的に接続されている。データ格納部７８の出力側には、顧客データ収納部８０が接続されている。顧客データ収納部８０の出力側には、近傍ユーザ特定部７９が接続されている。また、近傍ユーザ特定部７９の出力側とデータ送信部７７の入力側との間には、メモリ別調整値抽出部８１、使用環境クラスタリング部８２、使用環境類似ユーザ特定部８３がこの順に接続されている。
【００６７】
本実施形態の補聴器フィッティングシステムでは、以上のような構成において、補聴器５１の初回のフィッティングは、周知の方法により、図１１（ａ）に示すフローに従って行われる。
【００６８】
すなわち、まず、別途測定された使用者５２の聴力データが、図９の入力部５６へ入力される（図１１（ａ）のＳ１）。
次に、周知の方法により、所定間隔毎の周波数の音を使用者５２に聞かせながら、初期調整を行う（図１１（ａ）のＳ２）。
【００６９】
次に、使用者５２の要望に応じて、メモリラベル収納部７２内から、例えば、４つの使用環境ラベルを選択する（図１１（ａ）のＳ３）。
ここで、使用環境ラベルとは、使用者５２が補聴器を使いたいと考える環境の分類名であって、環境ごとに調整値パラメータが異なる。本実施形態では、メモリ６８ａ，６８ｂ，６８ｃ，６８ｄにそれぞれ異なる環境が設定される。
【００７０】
使用者５２が補聴器を使いたいと考える環境とは、例えば、通常の環境、騒音下の環境、電車乗車中の環境、パーティーに出席中の環境、テレビ試聴中の環境、音楽鑑賞中の環境、静かな場所にいるときの環境等がある。通常の環境に対応する使用環境ラベルは、基本用ラベルである。騒音下の環境に対応する使用環境ラベルは、騒音下用ラベルである。電車乗車中の環境に対応する使用環境ラベルは、電車用ラベルである。パーティーに出席中の環境に対応する使用環境ラベルは、パーティー用ラベルである。テレビ試聴中の環境に対応する使用環境ラベルは、テレビ用ラベルである。音楽鑑賞中の環境に対応する使用環境ラベルは、音楽用ラベルである。静かな場所にいるときの環境に対応する使用環境ラベルは、静か用ラベルである。
【００７１】
具体的には、図１３に示すように、メモリラベル収納部７２内に、基本用ラベル７２ａ、騒音下用ラベル７２ｂ、電車用ラベル７２ｃ、パーティー用ラベル７２ｄ、テレビ用ラベル７２ｅ、音楽用ラベル７２ｆ、静か用ラベル７２ｇが用意されており、この内から４つの使用環境ラベルが選択される。
【００７２】
本実施形態では、図１２に示すように、補聴器５１の調整値データ収納部６８に、４つのメモリ６８ａ，６８ｂ，６８ｃ，６８ｄが用意されている。メモリ６８ａには、電気的識別のために基本用ラベル７２ａが貼り付けられている。メモリ６８ｂには、電気的識別のためにテレビ用ラベル７２ｅが貼り付けられている。メモリ６８ｃには、電気的識別のために音楽用ラベル７２ｆが貼り付けられている。メモリ６８ｄには、電気的識別のために電車用ラベル７２ｃが貼り付けられている。
【００７３】
この時、基本用ラベル７２ａが貼り付けられたメモリ６８ａには、上述した初期調整時の調整値パラメータが入力される。また、この初期調整時の調整値パラメータは、基本となるものであるので、その他の騒音下用ラベル７２ｂ、電車用ラベル７２ｃ、パーティー用ラベル７２ｄ、テレビ用ラベル７２ｅ、音楽用ラベル７２ｆ、静か用ラベル７２ｇ用の調整値パラメータに対する差異は、上述した基本差分データ収納部７１に収納される。
【００７４】
したがって、上述のように、テレビ用ラベル７２ｅ、音楽用ラベル７２ｆ、電車用ラベル７２ｃが選択されると、図１２に示すように、調整値書換え部６９（図９参照）によって自動的にテレビ用ラベル７２ｅ、音楽用ラベル７２ｆ、電車用ラベル７２ｃに対する調整値パラメータが形成される。
【００７５】
そして、このようにして形成された図１２に示す基本用ラベル７２ａ、テレビ用ラベル７２ｅ、音楽用ラベル７２ｆ、電車用ラベル７２ｃと、それぞれの調整値パラメータが、補聴器書込み部７３を介して、調整値データ収納部６８の、４つのメモリ６８ａ，６８ｂ，６８ｃ，６８ｄに書き込まれる（図１１（ａ）のＳ４）。
【００７６】
使用者５２は、以上のように設定された調整値パラメータによる補聴作用を得た補聴器５１を用いて日常生活を送る。つまり、使用者５２は、通常状態では、補聴器５１の入力部７０を介して、補聴処理部６５においてメモリ６８ａの調整値パラメータによる補聴処理を受ける状態を選択する。テレビを試聴するときには、補聴器５１の入力部７０を介して、補聴処理部６５においてメモリ６８ｂの調整値パラメータによる補聴処理を受ける状態を選択する。音楽を聴くときには、補聴器５１の入力部７０を介して、補聴処理部６５においてメモリ６８ｃの調整値パラメータによる補聴処理を受ける状態を選択する。電車内においては、補聴器５１の入力部７０を介して、補聴処理部６５においてメモリ６８ｄの調整値パラメータによる補聴処理を受ける状態を選択する。
【００７７】
以上のように、補聴器５１の入力部７０を介して、使用環境に応じてメモリ６８ａ〜６８ｄが選択使用されると、音環境識別部６４において、その時の音圧レベルが４秒毎に１回判断される。その結果、図１５に示すように、使用環境ログデータが使用環境ログデータ収納部６７に記録される。
【００７８】
ここで、使用環境ログデータとは、それぞれのメモリを使用しているときに、どれくらいの音圧レベルがどれくらいの時間、補聴器５１のマイクロフォン６１から入力されるかを示すデータである。
【００７９】
なお、使用環境ログデータ収納部６７の記録は、１週間分の結果を収納したものである。本実施形態では、使用環境ログデータの説明として音圧レベルを利用するが、レベル範囲の判定を、例えば、ＨＭＭ（Hidden Markov Model（隠れマルコフモデル））を利用した音環境識別の結果と置き換えることも可能である。
【００８０】
図１５は、通常状態の使用時において、補聴器５１の入力部７０が操作されて、補聴処理部６５においてメモリ６８ａの調整値パラメータによる補聴処理を受ける状態が選択された場合には、（レベル範囲１）が１０％、（レベル範囲２）が７０％、（レベル範囲３）が１５％、（レベル範囲４）が５％、（レベル範囲５）が０％、（レベル範囲６）が０％であったことを示す。
【００８１】
また、テレビを試聴する際に、補聴器５１の入力部７０が操作されて、補聴処理部６５においてメモリ６８ｂの調整値パラメータによる補聴処理を受ける状態が選択された場合には、（レベル範囲１）が０％、（レベル範囲２）が５％、（レベル範囲３）が３０％、（レベル範囲４）が３０％、（レベル範囲５）が３０％、（レベル範囲６）が５％であったことを示す。
【００８２】
さらに、音楽を聴く際に、補聴器５１の入力部７０が操作されて、補聴処理部６５においてメモリ６８ｃの調整値パラメータによる補聴処理を受ける状態が選択された場合には、（レベル範囲１）が０％、（レベル範囲２）が０％、（レベル範囲３）が２０％、（レベル範囲４）が７０％、（レベル範囲５）が１０％、（レベル範囲６）が０％であったことを示す。
【００８３】
さらにまた、電車内で使用する際に、補聴器５１の入力部７０が操作されて、補聴処理部６５においてメモリ６８ｄの調整値パラメータによる補聴処理を受ける状態が選択された場合には、（レベル範囲１）が０％、（レベル範囲２）が０％、（レベル範囲３）が０％、（レベル範囲４）が０％、（レベル範囲５）が２０％、（レベル範囲６）が８０％であったことを示す。
【００８４】
なお、レベル範囲とは、音圧レベルの範囲を意味している。図１５に示す（レベル範囲１〜６）は、（レベル範囲１から６）に向かうに従って、音圧レベルが大きくなることを示している。
【００８５】
例えば、レベル範囲１は、音圧レベルが０〜４８ｄＢＳＰＬ、レベル範囲２は、音圧レベルが４８〜６０ｄＢＳＰＬ、レベル範囲３は、音圧レベルが６０〜７２ｄＢＳＰＬ、レベル範囲４は、音圧レベルが７２〜８４ｄＢＳＰＬ、レベル範囲５は、音圧レベルが８４〜９６ｄＢＳＰＬ、レベル範囲６は、音圧レベルが９６ｄＢＳＰＬ〜である。
【００８６】
図１５に示す状態は、補聴器５１の使用に際して必ずしも問題がある状況とは言えないが、使用者５２が利用する電車内はかなり騒がしいことが判り、補聴器５１の再調整時にはその点を考慮すべきである。
【００８７】
補聴器５１を再調整する際には、図８に示すように、補聴器５１を、フィッティング装置５３の接続ボックス５４を介してフィッティング器５５に接続する。そして、フィッティング器５５を、Ｗｅｂ共有サーバ５８に接続する。
【００８８】
すると、調整値データ収納部６８から使用者５２の聴力データと、４つのメモリ６８ａ，６８ｂ，６８ｃ，６８ｄに収納された基本用ラベル７２ａ、テレビ用ラベル７２ｅ、音楽用ラベル７２ｆ、電車用ラベル７２ｃと、それぞれの調整値パラメータとが、補聴器読込み部７６によって読み出される。また、補聴器読込み部７６によって、使用環境ログデータ収納部６７から、図１５に示した使用環境ログデータが読み出される（図１１（ｃ）のＳ５）。
【００８９】
そして、このようにして取得された使用者５２の聴力データと、４つのメモリ６８ａ，６８ｂ，６８ｃ，６８ｄに収納された基本用ラベル７２ａ、テレビ用ラベル７２ｅ、音楽用ラベル７２ｆ、電車用ラベル７２ｃと、それぞれの調整値パラメータおよび図１５に示す使用環境ログデータが、調整値メモリ７０ａに記録される。
【００９０】
その後、これらの使用者５２の聴力データ、４つのメモリ６８ａ，６８ｂ，６８ｃ，６８ｄに収納された基本用ラベル７２ａ、テレビ用ラベル７２ｅ、音楽用ラベル７２ｆ、電車用ラベル７２ｃと、それぞれの調整値パラメータおよび図１５に示す使用環境ログデータが、サーバ送信部７４からＷｅｂ共有サーバ５８に送信される（図１１（ｃ）のＳ６）。
【００９１】
Ｗｅｂ共有サーバ５８においては、これらの情報をデータ受信部７６ａにおいて受信し、データ格納部７８を介して顧客データ収納部８０に収納する。また、近傍ユーザ特定部７９においては、フィッティング装置５３から送信された使用者５２の聴力データに近いユーザが抽出される（図１１（ｃ）のＳ７、図１０と図１４のＳｔｅｐ１）。
【００９２】
聴力データが近いユーザの抽出には、各周波数の聴力値をベクトル表現し、ベクトル間距離で上位Ｎ人を近傍ユーザとする等の方法により実現できる。この時、１ｋ〜３ｋＨｚに重み付けする等して、会話帯域に重点を置くなどの工夫をしてもよい。
【００９３】
図１４においては、使用者５２は、（αさん）としている。
顧客データ収納部８０からは、（αさん）の聴力に近い聴力を有する人物としてＡさん、Ｂさん、Ｃさん、Ｄさんの４人を含むＮ人が抽出される。後段の説明では、便宜的にＮ人のうち、Ａさん、Ｂさん、Ｃさん、Ｄさんの４人について説明する。
【００９４】
続いて、メモリ別調整値抽出部８１においては、抽出されたＡさん、Ｂさん、Ｃさん、Ｄさんがその調整値データ収納部６８に設定している複数の使用環境の内から、使用者によって調整値データ収納部６８に設定された複数の使用環境に対応する使用環境毎の調整値パラメータを抽出する（図１１（ｃ）のＳ８、図１０と図１４のＳｔｅｐ２）。
【００９５】
使用者５２（αさん）については、上述のように、メモリ６８ａは基本用ラベル７２ａ、メモリ６８ｂはテレビ用ラベル７２ｅ、メモリ６８ｃは音楽用ラベル７２ｆ、メモリ６８ｄは電車用ラベル７２ｃに対応するように設定されている。Ａさんについては、基本用ラベル、音楽用ラベル、電車用ラベルおよびテレビ用ラベルが設定されている。Ｂさんについては、基本用ラベル、音楽用ラベル、電車用ラベルおよびパーティー用ラベルが設定されている。Ｃさんについては、基本用ラベル、電車用ラベル、電車用ラベルおよびテレビ用ラベルが設定されている。Ｄさんについては、基本用ラベル、電車用ラベル、電話用ラベルおよびテレビ用ラベルが設定されている。
【００９６】
従って、使用者５２の基本用ラベル７２ａの調整については、Ａさん、Ｂさん、Ｃさん、Ｄさんの４人が抽出される。テレビ用ラベル７２ｅの調整については、Ａさん、Ｃさん、Ｄさんの３人が抽出される。音楽用ラベル７２ｆの調整については、Ａさん、Ｂさんの２人が抽出される。電車用ラベル７２ｃの調整については、Ａさん、Ｂさん、Ｃさん、Ｄさんの４人が抽出される。
【００９７】
なお、ここでは、上述の通り、便宜的にＡさん、Ｂさん、Ｃさん、Ｄさんの４人について説明しているが、実際には、近傍ユーザＮ人の中から該当する人が抽出されるものとする。
【００９８】
次に、使用環境クラスタリング部８２と使用環境類似ユーザ特定部８３とにおいて、抽出された使用環境毎の調整値パラメータから、使用者５２（αさん）の使用環境ログデータに近い使用環境毎の調整値パラメータが抽出される（図１１（ｃ）のＳ９およびＳ１０、図１０と図１４のＳｔｅｐ３およびＳｔｅｐ４）。
【００９９】
具体的には、まず、使用環境クラスタリング部８２において、上記で抽出された同一のメモリが設定されている人物の該当するメモリの使用環境ログデータをクラスタリングする。
【０１００】
ここで、クラスタリングは、該当メモリのログデータをベクトル表現に置き換えｋ−ｍｅａｎｓ法などを用いることで実現することができる。ベクトル表現化は、各レベル範囲の割合を要素とすることで実現でき、例えば、使用者５２のメモリ６８ａのログデータは、（０．１，０．７，０．１５，０．０５，０，０）と表現できる。
【０１０１】
使用環境類似ユーザ特定部８３では、ｋ−ｍｅａｎｓ法によって得られたクラスタリング結果から、使用者５２と同一のクラスタに属する人物を特定すればよい。
この結果、使用者５２（αさん）の基本用ラベル７２ａ（メモリ６８ａ）に近い使用環境ログデータを保有する人物として、Ａさん、Ｂさんが抽出される。また、使用者５２（αさん）のテレビ用ラベル７２ｅ（メモリ６８ｂ）に近い使用環境ログデータを保有する人物としてＣさん、Ｄさんが抽出される。さらに、使用者５２（αさん）の音楽用ラベル７２ｆ（メモリ６８ｃ）に近い使用環境ログデータを保有する人物として、Ｂさんが抽出される。さらにまた、使用者５２（αさん）の電車用ラベル７２ｃ（メモリ６８ｄ）に近い使用環境ログデータを保有する人物として、Ａさん、Ｄさんが抽出される。
【０１０２】
そして、このようにして抽出されたデータは、データ送信部７７からサーバ受信部７５に送信され、調整値メモリ７０ａに収納される（図１１（ｃ）のＳ１１）。
次に、サーバ受信部７５で受信した抽出された使用環境毎の調整値パラメータを、フィッティング装置５３の表示部５７に表示させる。
【０１０３】
図１６は、基本用ラベル７２ａ（メモリ６８ａ）に対する調整状態を示す表示部５７の表示画面を示している。
なお、図１６では、左右の補聴器５１に対する再調整を行うために、表示部５７には左右の補聴器５１用のデータが表示されているが、説明の便宜上、ここでは右耳用の補聴器５１についてだけ説明する。なお、左耳用の補聴器についても同様にして次に再調整すればよい。
【０１０４】
図１６に示すように、表示部５７には、使用者５２（αさん）の基本用ラベル７２ａ（メモリ６８ａ）に近い使用環境ログデータを保有する人物として、Ａさん、Ｂさんの基本用ラベル７２ａ（メモリ６８ａ）に対応する調整値パラメータが表示されている。
【０１０５】
このため、調整者６０は、現在の使用者５２自身の基本用ラベル７２ａ（メモリ６８ａ）に対応する調整値パラメータを用いて使用者５２に試聴させる。次に、調整者６０は、Ａさん、Ｂさんの基本用ラベル７２ａ（メモリ６８ａ）に対応する調整値パラメータを順次使用者５２に試聴させ、使用者５２にその内から最も好ましい調整値パラメータを選択させる。
【０１０６】
次に、調整者６０が、図１６の決定ボタン８４が押下すると、選択された調整値パラメータが、調整値書換え部６９、補聴器書込み部７３を介して、調整値データ収納部６８のメモリ６８ａに書き込まれ、再調整が完了する（図１１（ｃ）のＳ１２）。
【０１０７】
すると、図１７に示すように、表示部５７には、次のテレビ用ラベル７２ｅ（メモリ６８ｂ）のデータが表示される。具体的には、この表示部５７には、使用者５２（αさん）のテレビ用ラベル７２ｅ（メモリ６８ｂ）に近い使用環境ログデータを保有する人物として、Ｃさん、Ｄさんの基本用ラベル７２ａ（メモリ６８ａ）に対応する調整値パラメータが表示される。
【０１０８】
このため、調整者６０は、現在の使用者５２自身のテレビ用ラベル７２ｅ（メモリ６８ｂ）に対応する調整値パラメータを用いて使用者５１に試聴させ、次にＣさん、Ｄさんのテレビ用ラベル７２ｅ（メモリ６８ｂ）に対応する調整値パラメータを用いて、順次、使用者５２に試聴させ、使用者５２にその内から最も好ましい調整値パラメータを選択させる。
【０１０９】
次に、調整者６０によって図１６の決定ボタン８４が押下されると、使用者５２に選択された調整値パラメータが、調整値書換え部６９、補聴器書込み部７３を介して、調整値データ収納部６８のメモリ６８ｂに書き込まれ、再調整が完了する（図１１（ｃ）のＳ１２）。
【０１１０】
以降、調整者６０は、同様にして、音楽用ラベル７２ｆ（メモリ６８ｃ）、電車用ラベル７２ｃ（メモリ６８ｄ）の再調整を行う。
本実施形態によれば、使用者５２の実際の使用環境に合わせて、補聴器５１の再調整を、簡単かつ短時間で行ことができる。しかも、その際に利用するデータは、使用者５２の聴力に近く、実際の使用環境の近い他人のデータであるため、再調整後の使用者５２の満足度はきわめて高いものとなる。
【０１１１】
本発明の補聴器設定用プログラムは、補聴器使用者の聴力データに類似する複数の聴力データのそれぞれに対する補聴調整結果データを、顧客データ収納部から特定して引き出す処理と、
引き出された複数の前記補聴調整結果データを分類した複数のクラスタのそれぞれの中から代表的な補聴調整結果データをそれぞれ選択する処理と、
複数の前記代表的な補聴調整結果データの中から、前記補聴器使用者に最適であるものを初期調整候補として選択させる処理と、
前記初期調整候補の前記補聴調整結果データを、前記補聴器使用者にさらに適合するように微調整する処理と、
を備えた補聴器フィッティング方法をコンピュータに実行させる。
【０１１２】
本発明の補聴器設定用プログラムは、予め保存された複数の補聴調整結果データを類似度合いに基づいて複数のクラスタに分類する処理を、さらに備えている。
本発明の補聴器調整プログラムは、サーバに接続されたフィッティング装置を用いた補聴器調整プログラムであって、
前記フィッティング装置から、補聴器使用者の聴力データ、使用環境ログデータおよび調整値パラメータを、前記サーバに送信する送信工程と、
前記サーバにて、前記送信工程で送信された前記補聴器使用者の聴力データに近いユーザを抽出する第１の抽出工程と、
前記第１の抽出工程で抽出されたユーザが設定している複数の使用環境の内から、前記補聴器使用者が設定している複数の使用環境に対応する、使用環境毎の調整値パラメータを抽出する第２の抽出工程と、
前記第２の抽出工程で抽出された使用環境毎の調整値パラメータから、前記補聴器使用者の使用環境ログデータに近い使用環境毎の調整値パラメータを抽出する第３の抽出工程と、
前記サーバが前記フィッティング装置に、前記抽出された使用環境毎の調整値パラメータを送信する工程と、
前記第３の抽出工程で抽出された使用環境毎の調整値パラメータを、前記フィッティング装置から前記補聴器に供給する工程と、
を備えた補聴器フィッティング方法をコンピュータに実行させる。
【０１１３】
本発明の補聴器調整プログラムは、フィッティング装置を用いて補聴器の調整を行う補聴器調整プログラムであって、
前記フィッティング装置から、補聴器使用者の聴力データ、使用環境ログデータおよび調整値パラメータを送信する送信工程と、
前記送信工程において送信された前記補聴器使用者の聴力データに近いユーザを抽出する第１の抽出工程と、
前記第１の抽出工程において抽出されたユーザが設定している複数の使用環境の内から、前記補聴器使用者が設定している複数の使用環境に対応する、使用環境毎の調整値パラメータを抽出する第２の抽出工程と、
前記第２の抽出工程で抽出された使用環境毎の調整値パラメータから、前記補聴器使用者の使用環境ログデータに近い使用環境毎の調整値パラメータを抽出する第３の抽出工程と、
前記フィッティング装置に対して、前記第３の抽出工程において抽出された使用環境毎の調整値パラメータを送信する工程と、
前記第３の抽出工程で抽出された使用環境毎の調整値パラメータを、前記フィッティング装置から前記補聴器に供給する工程と、
を備えた補聴器フィッティング方法をコンピュータに実行させる。
【０１１４】
なお、補聴器調整プログラムは、例えば、ＣＤ−ＲＯＭ等の記憶媒体から、あるいは通信回線を介したダウンロード等により、任意のパソコン等へインストールすることによって、補聴器フィッティング装置や補聴器フィッティングシステムを構成することができる。
【０１１５】
本発明の補聴器フィッティングシステムは、補聴器に接続される補聴器フィッティング装置とサーバとを含むように構成された補聴器フィッティングシステムであって、
補聴器使用者の聴力データが入力される入力部と、
前記補聴器から複数種類の使用環境毎の使用環境ログデータおよび前記複数種類の使用環境毎の調整値パラメータを読み込む補聴器読込み部と、
前記聴力データ、前記使用環境ログデータおよび前記調整値パラメータを、前記サーバに送信するサーバ送信部と、
前記サーバ送信部から送信された前記補聴器使用者の前記聴力データに近いユーザを抽出し、抽出された前記ユーザが設定している複数の使用環境の内から、前記補聴器使用者が設定している複数の使用環境に対応する使用環境毎の調整値パラメータを抽出し、抽出された前記使用環境毎の調整値パラメータから、前記補聴器使用者の使用環境ログデータに近い使用環境毎の調整値パラメータを抽出して送信するサーバと、
前記サーバにおいて抽出、送信された複数種類の使用環境毎の調整値パラメータを受信するサーバ受信部と、
前記調整値パラメータを、前記補聴器の調整値データ収納部に書き込む補聴器書込み部と、
を備えている。
【０１１６】
本発明の補聴器フィッティングシステムによれば、補聴器調整装置に接続されたサーバにおいて、補聴器から送信された補聴器使用者の聴力データに近いユーザを抽出し、抽出されたユーザが設定している複数の使用環境の内から補聴器使用者が設定している複数の使用環境に対応する使用環境毎の調整値パラメータを抽出し、抽出された使用環境毎の調整値パラメータから補聴器使用者の使用環境ログデータに近い使用環境毎の調整値パラメータを抽出して補聴器に返信し補聴器に書き込むので、補聴器使用者の使用環境毎の調整値パラメータを、その使用者の使用環境に応じて極めて簡単に設定することができる。この結果、補聴器設定に対する使用者の満足度を高めることができる。
【０１１７】
（他の実施形態）
（Ａ）
上記実施形態１〜３では、顧客データ収納部１０，１１０が、補聴器フィッティング装置内に含まれている例を挙げて説明した。しかし、本発明はこれに限定されるものではない。
【０１１８】
例えば、補聴器フィッティング装置、あるいは補聴器フィッティングシステムに対して接続される外部記憶装置やインターネット上に存在するストレージ等を、顧客データ収納部として用いてもよい。
【０１１９】
（Ｂ）
上記実施形態４では、Ｗｅｂ共有サーバ５８上に、顧客データ収納部８０、近傍ユーザ特定部７９、使用環境クラスタリング部８２等が存在しており、Ｗｅｂ共有サーバ５８において各種処理を実行する例を挙げて説明した。しかし、本発明はこれに限定されるものではない。
【０１２０】
例えば、上記実施形態１〜３のように、顧客データ収納部、近傍ユーザ特定部、使用環境クラスタリング部等が補聴器フィッティング装置内に設けられており、上記実施形態４において説明したＷｅｂ共有サーバ５８において実行された処理を、補聴器フィッティング装置内において実行してもよい。
【０１２１】
この場合、顧客データ収納部は、必ずしも補聴器フィッティング装置内に設けられている必要はなく、補聴器フィッティング装置に接続された外部記憶装置等に設けられていてもよい。
【０１２２】
（Ｃ）
上記実施形態１〜３では、各聴力レベルに対応する複数の補聴調整結果データを類似度合いに基づいて分類した複数のクラスタから、代表的な補聴調整結果データに基づいて処理された音声等を使用者に試聴させて補聴器フィッティングを行う例を挙げて説明した。しかし、本発明はこれに限定されるものではない。
【０１２３】
例えば、上記実施形態１〜３において説明した処理に、上記実施形態４で説明した使用環境に基づく調整を組み合わせて実施してもよい。
これにより、補聴器の使用者にとって、自身の好みや使用環境を考慮して、さらに使い心地の良い補聴器フィッティングを行うことができる。
【産業上の利用可能性】
【０１２４】
本発明によると、補聴器の使用設定を短時間で行うことができるとともに、実際の使用状況に対応した状態で行うことができることから、補聴器のフィッティング装置として広く活用が期待される。
【符号の説明】
【０１２５】
１    補聴器フィッティング装置
２    入力部
３    表示部
４    補聴器
５    接続ボックス
６，７    配線
８    使用者
９    調整者
１０    顧客データ収納部
１１    近傍ユーザ特定部
１２    聴力入力部
１３    クラスタリング部
１４    代表特性特定部
１５    初期調整候補選択部
１６    微調整部
１７    調整値入力部
１８    調整値書換え部
１９    補聴器書き込み部
２０    メイン調整値メモリ
２１    決定ボタン
５１    補聴器
５２    使用者
５３    フィッティング装置（補聴器フィッティング装置）
５４    接続ボックス
５５    フィッティング器
５６    入力部
５７    表示部
５８    Ｗｅｂ共有サーバ
５９    回線
６０    調整者
６１    マイクロフォン
６２    レシーバ
６３    Ａ／Ｄ変換器
６４    音環境識別部
６５    補聴処理部
６６    Ｄ／Ａ変換器
６７    使用環境ログデータ収納部
６８    調整値データ収納部
６９    調整値書換え部
７０    入力部
７０ａ    調整値メモリ
７１    基本差分データ収納部
７２    メモリラベル収納部
７３    補聴器書込み部
７４    サーバ送信部
７５    サーバ受信部
７６    補聴器読込み部
７６ａ    データ受信部
７７    データ送信部
７８    データ格納部
７９    近傍ユーザ特定部
８０    顧客データ収納部
８１    メモリ別調整値抽出部
８２    使用環境クラスタリング部
８３    使用環境類似ユーザ特定部
８４    決定ボタン
１１０  顧客クラスデータ収納部
【図１】
2011132403.tif 000003
【図２】
2011132403.tif 000004
【図３】
2011132403.tif 000005
【図４】
2011132403.tif 000006
【図５】
2011132403.tif 000007
【図６】
2011132403.tif 000008
【図７】
2011132403.tif 000009
【図８】
2011132403.tif 000010
【図９】
2011132403.tif 000011
【図１０】
2011132403.tif 000012
【図１１】
2011132403.tif 000013
【図１２】
2011132403.tif 000014
【図１３】
2011132403.tif 000015
【図１４】
2011132403.tif 000016
【図１５】
2011132403.tif 000017
【図１６】
2011132403.tif 000018
【図１７】
2011132403.tif 000019
【手続補正書】
【提出日】平成23年12月1日(2011.12.1)
【手続補正１】
【補正対象書類名】明細書
【補正対象項目名】全文
【補正方法】変更
【補正の内容】
【発明の詳細な説明】
【技術分野】
【０００１】
本発明は、補聴器の使用設定を行う補聴器フィッティング装置に関するものである。
【背景技術】
【０００２】
補聴器フィッティング装置は、補聴器の補聴特性を、この補聴器使用者の聴力に合わせて設定するものである。
実際の設定時には、先ず、使用者の聴力を、可聴周波数帯の低音から高音にわたって測定し、その測定結果である聴力データに基づいて、補聴特性を調整する。しかし、その調整作業は、熟練者が行ったとしても、長時間かかってしまうことが多い。
【０００３】
すなわち、音の聞こえ方に対する感覚は、個人ごとに、また測定環境（季候、測定空間の大きさ等）、時間、使用者の体調などによっても大きく異なる。このため、調整者が調整を進めて徐々に最終値に追い込んでいるつもりでも、使用者が、先程の音の方が良かったと言って、調整作業が逆戻りしてしまうこともしばしば発生し、調整時間が長時間となってしまう。
【０００４】
そこで、従来は、対話型遺伝的アルゴリズムを利用することで、補聴特性を短時間で設定できるようにする取り組みも検討されている（例えば、下記特許文献１）。
【先行技術文献】
【特許文献】
【０００５】
【特許文献１】特開２００１−１７５６３７号公報
【発明の概要】
【０００６】
対話型遺伝的アルゴリズムを利用して補聴特性の設定を行う場合、補聴器使用者の聴力に合わせて複数の補聴特性を用意し、これを比較しながら最終的に選択する補聴特性を選び出していく。このため、場合によっては、調整時間は短くなることもある。しかしながら、このような対話型遺伝的アルゴリズムを利用する場合でも、一つずつの補聴特性を設定する時には、従来と同じように、調整者は、使用者との対話に基づいて、時間をかけて調整する作業が必要となり、結果として調整時間が長時間となってしまうおそれがあった。
【０００７】
また、以上のようにして補聴特性を設定したにも関わらず、使用者が実生活で使用してみると、必ずしも満足できない場合がある。具体的には、上述したような補聴器設定を行った場所の音環境と実使用時の音環境とが大きく異なる場合には、補聴器使用者は、実使用時に不満感を抱くおそれがある。
【０００８】
本発明は、補聴器の使用設定を短時間で行うことができるとともに、補聴器の設定に対する補聴器使用者の満足度を高めることを目的とするものである。
【０００９】
（課題を解決するための手段）
本発明の補聴器フィッティング装置は、聴力入力部と、代表特性特定部と、初期調整候補選択部と、微調整部と、を備えている。聴力入力部は、使用者の聴力データが入力される。代表特性特定部は、聴力入力部から入力された聴力データに類似する複数の聴力データに対する複数の補聴調整結果データから代表特性を抽出する。初期調整候補選択部は、代表特性特定部によって代表特性として抽出された複数の補聴調整結果データを補聴特性として切り替えながら出力して、使用者にとって最適なものを選択させる。微調整部は、初期調整候補選択部によって切り替えられた複数の補聴調整結果データから選択された補聴調整結果データを、使用者にとってさらに適合するように微調整を行う。
【００１０】
本発明の補聴器フィッティング装置は、補聴器使用者の聴力データが入力される入力部と、補聴器から複数種類の使用環境毎の使用環境ログデータおよび複数種類の使用環境毎の調整値パラメータを読み込む補聴器読込み部と、補聴器読込み部において読み込まれた聴力データ、使用環境ログデータおよび調整値パラメータから補聴器使用者の聴力データに近いユーザを抽出し、抽出されたユーザが設定している複数の使用環境の内から、補聴器使用者が設定している複数の使用環境に対応する使用環境毎の調整値パラメータを抽出し、抽出された使用環境毎の調整値パラメータから、補聴器使用者の使用環境ログデータに近い使用環境毎の調整値パラメータを抽出する調整値パラメータ抽出部と、調整値パラメータ抽出部によって抽出された調整値パラメータを、補聴器の調整値データ収納部に書き込む補聴器書込み部と、を備えている。
【００１１】
（発明の効果）
本発明の補聴器フィッティング装置によれば、調整者は聴力入力部を介して聴力データを入力するだけで、この聴力データに類似する複数の聴力データに対する補聴調整結果データが出力される。そして、これらの補聴調整結果データは、そのような聴力を持つ多くの人の嗜好も考慮したものとなっているため、従来のように、選択すべき特性を作成する必要がなくなる。この結果、補聴器の使用設定を、短時間で行うことができる。また、選択された補聴調整結果データは、微調整部により微調整を行うので、使用者にマッチした補聴特性となり、使用感の良い、補聴効果の高いものとなる。
【図面の簡単な説明】
【００１２】
【図１】本発明の一実施の形態に係る補聴器フィッティング装置を説明するための模式図。
【図２】図１の補聴器フィッティング装置の制御ブロック図。
【図３】図１の補聴器フィッティング装置を用いた補聴器フィッティング方法を説明するための図。
【図４】図１の補聴器フィッティング装置を用いた補聴器フィッティング方法を説明するための図。
【図５】図１の補聴器フィッティング装置の顧客クラスデータ収納部に格納される聴力／クラス対応表とクラス／代表特性の対応表とを示す図。
【図６】図１の補聴器フィッティング装置の顧客クラスデータ収納部に格納される表を示す図。
【図７】図１の補聴器フィッティング装置の制御ブロック図。
【図８】本発明の一実施の形態に係る補聴器フィッティングシステムとそれを用いたフィッティング方法を説明するための模式図。
【図９】図８の補聴器フィッティングシステムの制御ブロック図。
【図１０】図８の補聴器フィッティングシステムの制御ブロック図。
【図１１】（ａ）、（ｂ）および（ｃ）は、図８の補聴器フィッティングシステムの動作の流れを示すフローチャート。
【図１２】図８の補聴器フィッティングシステムにおける補聴器の補聴値データ収納部を示す図。
【図１３】図８の補聴器フィッティングシステムにおける補聴器の補聴値データ収納部を示す図。
【図１４】図８の補聴器フィッティングシステムの動作状態を示す図。
【図１５】図８の補聴器フィッティングシステムの動作状態を示す図。
【図１６】図８の補聴器フィッティングシステムの動作状態を示す図。
【図１７】図８の補聴器フィッティングシステムの動作状態を示す図。
【発明を実施するための形態】
【００１３】
（実施形態１）
以下、本発明の一実施形態について、添付図面を用いて説明する。
本実施形態の補聴器フィッティング装置１は、図１に示すように、表面に、入力部２と表示部３を備えている。補聴器フィッティング装置１と補聴器４とは、接続ボックス５、配線６，７を介して互いに接続されている。なお、補聴器４は、使用者８の左耳用、右耳用と別々に用意されるが、図１では説明の便宜上、右耳用だけを示している。
【００１４】
調整者９は、補聴器フィッティング装置１を操作して、補聴器４の使用設定を行う。
図２は、補聴器フィッティング装置１の制御ブロックを示している。
補聴器フィッティング装置１は、顧客データ収納部１０と、近傍ユーザ特定部１１と、聴力入力部１２と、クラスタリング部１３と、代表特性特定部１４と、初期調整候補選択部１５と、微調整部１６と、表示部３とを備えている。
【００１５】
顧客データ収納部１０には、過去に多くの人々の補聴器４の使用設定作業によって取得された複数の聴力データと、上記複数の聴力データのそれぞれに対応する補聴調整結果データとが蓄積されている。つまり、過去の他の使用者も、補聴器４の使用設定作業は、必ず、先ず聴力測定を行った後、調整を行って最終的な補聴特性を設定している。このため、聴力測定によって得られた聴力データと、この聴力データに対応する最終的な補聴特性である補聴調整結果データとが、関連付けられたセットにされて、顧客データ収納部１０に蓄積されている。
【００１６】
また、顧客データ収納部１０は、近傍ユーザ特定部１１の入出力部に接続されている。さらに、近傍ユーザ特定部１１の他の入出力部には、聴力入力部１２が接続されている。
聴力入力部１２に入力される聴力データは、音の静かな測定空間において、可聴周波数帯の低音から高音にわたって使用者の聴力を測定し、その結果として得られたものである。
【００１７】
また、近傍ユーザ特定部１１の出力側には、クラスタリング部１３が接続されている。さらに、クラスタリング部１３の出力側には、代表特性特定部１４が接続されている。また、代表特性特定部１４の入力側には、初期調整候補選択部１５が接続されている。さらに、代表特性特定部１４の出力側には、表示部３と微調整部１６とが接続されている。
【００１８】
微調整部１６は、入力部２（図１参照）に設けられた調整値入力部１７と、調整値入力部１７から調整値が入力される調整値書換え部１８と、調整値書換え部１８の出力側に接続された補聴器書き込み部１９と、代表特性特定部１４、調整値書換え部１８、表示部３に接続されたメイン調整値メモリ２０と、を備えている。なお、聴力入力部１２と調整値入力部１７とは、入力部２（図１参照）に含まれる。
【００１９】
次に、補聴器フィッティング方法について、図２および図３を用いて説明する。
先ず、図２および図３に示すように、聴力入力部１２から使用者８の聴力データが入力される。すると、近傍ユーザ特定部１１において、聴力入力部１２から入力された聴力データに類似する複数の聴力データに対する補聴調整結果データが、顧客データ収納部１０から特定されて引き出される。
【００２０】
より詳細には、顧客データ収納部１０には、上述したように、過去に行われた他の使用者の補聴器４の使用設定作業に取得された聴力測定により得られた聴力データと、この聴力データに対応する最終的な補聴特性である補聴調整結果データとが、関連付けされた状態で蓄積されている。例えば、図３に示すように、予めＡさん、Ｂさん、Ｃさん、Ｄさん、Ｅさん、Ｆさん、Ｇさん、Ｈさん、それぞれの聴力測定により得られた聴力データと、これらの聴力データに対する最終的な補聴特性である補聴調整結果データとが、セットとして顧客データ収納部１０に蓄積されている。
【００２１】
次に、聴力入力部１２に対して、今から調整が行われる補聴器の使用者８であるαさんの聴力データが入力されると、近傍ユーザ特定部１１において、聴力入力部１２から入力されたαさんの聴力データに類似する複数の聴力データ（Ａさん、Ｂさん、Ｃさん、Ｄさん）に対応する補聴調整結果データが、顧客データ収納部１０から特定されて引き出される。このとき、使用者８であるαさんの聴力データと、Ａさん等の聴力データとが類似するか否かは、例えば、下記のようにして判定することができる。
【００２２】
つまり、各人の聴力データの測定周波数範囲において、複数点の周波数における可聴レベルをそれぞれ記録することにより、この聴力データを一本の線として認識する。そして、補聴データを一本の線として認識できるので、線同士の形（レベルの高さ、傾斜状態等）を比較することにより、αさんの聴力データに類似する、Ａさん、Ｂさん、Ｃさん、Ｄさんの聴力データを選出することができる。よって、Ａさん、Ｂさん、Ｃさん、Ｄさんの最終的な補聴特性である補聴調整結果データを、近傍ユーザ特定部１１に引き出すことができる。また、このような近傍ユーザの特定方法としては、顧客の聴力データをベクトル表示し、ベクトル間距離に基づいて近傍ユーザを特定してもよい。
【００２３】
次に、クラスタリング部１３において、近傍ユーザ特定部１１によって引き出された複数の補聴調整結果データのクラスタリングを行う。ここで、クラスタリングとは、複数の補聴調整結果データを、類似度合いに基づいて分類することである。ここで、このクラスタリングは、顧客の補聴調整結果データをベクトル表示し、ベクトル間距離に基づいて行うことができる。具体的には、例えば、公知のｋ−ｍｅａｎｓ法を利用することができる。
【００２４】
例えば、ＡさんとＢさんの最終的な補聴特性である補聴調整結果データが、互いに非常に類似している場合には、クラスタリング部１３は、ＡさんとＢさんの補聴調整結果データを同一のクラスタに分類する。結果として、クラスタリング部１３は、ＡさんとＢさんの補聴調整結果データを含む第１のクラスタと、Ｃさんの補聴調整結果データを含む第２のクラスタと、Ｄさんの補聴調整結果データを含む第３のクラスタとの３つのクラスタに分類する。
【００２５】
次に、代表特性特定部１４が、各クラスタから代表特性を抽出する。
本実施形態では、代表特性特定部１４は、例えば、第１のクラスタからＡさん、第２のクラスタからＣさん、第３のクラスタからＤさんの補聴調整結果データを代表特性として抽出し、これらを表示部３に出力される。
【００２６】
ここで、代表特性の特定には、各クラスタの平均や重心に一番近いユーザを代表特性として選択する方法を使うことができる。あるいは、各クラスタに含まれる全てのデータの重心データを代表特性とすることもできる。あるいは、各クラスタに含まれる全てのデータの平均値データを代表特性とすることもできる。
【００２７】
代表特性として平均や重心に一番近いユーザの補聴調整結果データを使用した場合には、そのユーザが調整を行った際のコメント等を参照することができるため、調整に対するより具体的な情報を得ることができる。また、各クラスタの平均や重心といった推定値を代表特性とした場合には、特に、クラスタ内のデータが少量で分散度が高い場合に、平均や重心に一番近いユーザをそのまま代表特性にするよりも、そのクラスタの代表特性に近い特性を表現することができる。よって、代表特性間の違いを、より明確にすることができる。
【００２８】
図４は、表示部３の表示内容を示したもので、Ａさん、Ｃさん、Ｄさんの最終的な補聴特性である補聴調整結果データが表示されている。なお、この図４においては、使用者８であるαさんの右耳用補聴器４の使用設定だけを説明するが、実際には、右耳用補聴器の使用設定が終われば、次に、左耳用補聴器の使用設定が行われるものとする。
【００２９】
次に、初期調整候補選択部１５によって、Ａさん、Ｃさん、Ｄさんの最終的な補聴特性である補聴調整結果データを、それぞれ補聴特性として切り替えながら、αさんに試聴させる。αさんがこれらを試聴した結果、例えば、最も適合するものとして、Ｄさんの補聴調整結果データが初期調整候補として選択されると、図４に示すように、表示部３にはＤさんの補聴調整結果データが表示される。
【００３０】
Ｄさんの補聴調整結果データは、メイン調整値メモリ２０を介して調整値書換え部１８に供給される。
【００３１】
次に、Ｄさんの補聴調整結果データに基づいて、調整値入力部１７によって、微調整が行われる。すなわち、αさんにとってより聞こえやすくなるように、初期調整候補のＤさんの補聴調整結果データを修正する。微調整されたＤさんの補聴調整結果データは、表示部３に表示される。
【００３２】
このとき、微調整前のデータである、Ｄさんの補聴調整結果データと、微調整後のＤさんの補聴調整結果データとが、２つ並べて表示されることが好ましい。具体的には、右耳用として、まず、微調整前のデータであるＤさんの補聴調整結果データが２つ並べて表示される。次に、微調整が終了すると、２つの表示部分のうち、一方の表示部分はＤさんの補聴調整結果データから微調整されたものに変更される。他方の表示部分は、Ｄさんの補聴調整結果データが表示されたままとする。左耳用の場合も同様である。
【００３３】
これにより、調整者９やαさんは、微調整前と微調整後の補聴調整結果データを一度に見ることができるので、それらの差分が視覚的に認識しやすいという効果がある。
この微調整が終了すると、調整者９によって決定ボタン２１が押下される。すると、補聴器書き込み部１９によって、補聴器４の補聴特性が書き換えられ、使用設定が完了する。また、αさんの聴力データと、最終的な補聴特性である補聴調整結果データとは、関連付けされたセットとして顧客データ収納部１０に蓄積される。
【００３４】
以上のように、本実施形態によれば、聴力入力部１２からαさんの聴力データを入力するだけで、この聴力データに類似する複数の聴力データに対する補聴調整結果データを、顧客データ収納部１０から近傍ユーザ特定部１１に引き出すことができる。そして、これらの補聴調整結果データは、互いに類似しないデータが複数選択されて出力されることで、そのような聴力を持つ多くの人の嗜好も考慮したものとなっているので、従来のように、選択すべき特性を作成する必要がない。この結果、補聴器４の使用設定を短時間で行うことができる。
【００３５】
さらに、各補聴調整結果データは類似度合いに基づいて分類されており、各クラスタ内の代表的な補聴調整結果データを抽出して出力しているため、同じクラスタに分類された類似した補聴調整結果データが何度も出力されることを回避できる。この結果、従来よりも効率的に補聴器のフィッティング処理を実施することができる。
【００３６】
また、選択された補聴調整結果データは、微調整部１６によって微調整されるため、使用者８（αさん）にマッチした補聴特性になるように設定することができるため、使用者８にとって使用感および補聴効果を向上させることができる。
【００３７】
なお、上記実施形態では、補聴器フィッティング装置１と補聴器４とを配線６、７で接続した例を挙げて説明した。しかし、本発明はこれに限定されるものではない。
例えば、補聴器フィッティング装置１と補聴器４とを、無線によって接続してもよい。
【００３８】
また、上記実施形態に係る補聴器フィッティング方法は、少なくともその一部をコンピュータがプログラムを実行することにより実現してもよい。プログラムは、ＣＤ−ＲＯＭ等の記録媒体又はインターネット等の伝送媒体を介して配信することができる。
【００３９】
（実施形態２）
本発明の他の実施形態に係る補聴器フィッティング装置について、図面を用いて以下で説明する。
【００４０】
ここで、上記実施形態１では、使用者８の聴力が入力された後で、顧客データ収納部１０から類似した聴力レベルの近傍ユーザを抽出し、抽出された近傍ユーザの調整結果に基づいてクラスタリングを行っていた。しかしながら、クラスタリング処理には計算時間がかかってしまう。
【００４１】
そこで、本実施形態の補聴器フィッティング装置では、予め聴力パターンを複数のクラス（以下、聴力クラスと示す。）に分類しておき、その各々の聴力クラスに対応した代表特性を複数用意している。
【００４２】
これにより、単に調整を行いたい使用者の持つ聴力レベルに基づいて代表特性を検索することにより、同様の聴力を持つ様々な嗜好を考慮した補聴特性を評価することができる。
【００４３】
なお、本実施形態では、各々の聴力クラスに対応して複数の代表特性を保持するデータベースを、顧客クラスデータベースと呼ぶ。
顧客クラスデータベースは、様々な聴力パターンをもつ大量の顧客が格納された顧客データ収納部のデータに基づいて予め作成しておくことができる。
【００４４】
例えば、聴力データをベクトル表現化しｋ−ＭＥＡＮＳ等の方法を用いてクラスタリングする。そして、このクラスタリングにより得られた各々のクラスごとに、そのクラスに属する顧客の調整結果に対して、再度、ｋ−ｍｅａｎｓ法等を用いてクラスタリングを行い、代表特性を抽出しておけばよい。
【００４５】
図５には、顧客クラスデータ収納部１１０の一例が図示されている。
聴力クラスは、予めｋ−ｍｅａｎｓ法等によって分類された聴力のクラスタを示している。代表特性は、そのクラスごとｋ−ｍｅａｎｓ法等を利用して求められた代表特性である。聴力クラスの各々に付与される聴力グラフは、そのクラスの重心、平均値などである。
【００４６】
図５に示すように顧客クラスデータ収納部１１０を構成することで、新たに調整を行いたい使用者の聴力がどの聴力クラスに属するかを、その使用者の聴力と最も近いクラスを特定することで判定し、そのクラスに格納された代表特性を特定することができる。
【００４７】
また、聴力クラスを、高音急墜型や高音漸傾型など聴力のパターンに基づいて予め作成しておいてもよい。すなわち、これより調整を行う補聴器使用者が属するクラスを特定することができるように、予め全ての聴力データについてクラスを定義しておく等することで実現できる。
【００４８】
具体的には、図６に示すように、顧客クラスデータ収納部１１０に、聴力／クラス対応表と、クラス／代表特性対応表を用意しておき、調整を行う補聴器の使用者の聴力がどのクラスに属するかを聴力／クラス対応表より検索する。そして、検索されたクラスに対応する代表特性を、クラス／代表特性対応表より検索して、利用すればよい。
【００４９】
上記補聴器フィッティング方法を実現するブロック構成を図７に示す。
本実施形態の補聴器フィッティング装置では、図２の近傍ユーザ特定部１１、クラスタリング部１３の代わりに、代表特性検索部３１を備えている。
【００５０】
代表特性検索部３１は、聴力入力部１２に入力された補聴器使用者の聴力レベルに基づいて、顧客データ収納部１０に格納された顧客データを用いて補聴器使用者の聴力クラスを特定し、代表特性を検索する。
【００５１】
以上の構成により、予め聴力クラスと、その各々の聴力クラスに対応する代表特性を予め用意しておくことで、毎回、補聴調整結果データのクラスタリングを行うことなく、上記実施形態１の構成と同様の効果を得ることができる。
【００５２】
これにより、計算時間を要するクラスタリング処理を行う必要がなくなるため、さらに効率よく、使用者に適合した補聴特性になるように補聴器を設定することができる。
さらに、各補聴調整結果データは類似度合いに基づいて予め分類されており、各クラスタ内の代表的な補聴調整結果データを１つずつ抽出して出力しているため、同じクラスタに分類された類似した補聴調整結果データが何度も出力されることを回避できる。この結果、従来よりも効率的に補聴器のフィッティング処理を実施することができる。
【００５３】
なお、本実施形態の構成は、顧客データ収納部１１０がネットワーク上に存在し、世界中の販売店からＷｅｂ経由で顧客データ収納部１１０を参照できるような環境、システムにおいて特に有効である。
【００５４】
（実施形態３）
本発明のさらに他の実施形態に係る補聴器フィッティング装置について、以下で説明する。
【００５５】
ここで、上記実施形態１，２では、図４に示すように、補聴器フィッティング装置の画面上に代表特性を表示し、それらの聞き比べができるように構成されていたが、調整者に対して代表特性を提示する方法としては、このような図示する方法に加えて、代表特性の性質が伝わるような方法であればどのような表現方法でも構わない。
【００５６】
例えば、図４に示すように、代表特性が３つ得られた場合、使用者に対して、「第１の候補です」、「第２の候補です」、「第３の候補です」とアナウンスを行ったうえで、それぞれの特性を補聴器に書き込み、それぞれ補聴特性に基づいて処理された音の試聴を行い、使用者に聞き比べてもらってもよい。
【００５７】
また、それぞれの代表特性の特徴を表す言語表現を、付加情報として格納しておき、グラフの代わりにその言葉を画面上に表示して、それらの中から補聴器に書き込む特性を選択してもよい。
【００５８】
（実施形態４）
本発明の一実施形態に係る補聴器フィッティングシステムについて、添付図面を用いて以下で説明する。
【００５９】
図８において、５１は補聴器で、使用者５２は左右両耳にそれぞれ装着される補聴器５１を有しているが、図８においては、その一方だけが接続されている。図８は、補聴器５１がフィッティング装置５３に接続され、フィッティングが行われる状態を示している。
【００６０】
本実施形態の補聴器フィッティングシステムは、図８に示すように、補聴器５１が接続されるフィッティング装置５３と、Ｗｅｂ共有サーバ５８と、を備えている。
フィッティング装置５３は、図８に示すように、フィッティング器５５と接続ボックス５４とを有している。接続ボックス５４は、補聴器５１とフィッティング器５５とを接続する。フィッティング装置５３は、フィッティングを行う調整者６０によって操作される。
【００６１】
フィッティング器５５は、図８に示すように、入力部５６と表示部５７とを備えている。さらに、フィッティング器５５は、回線５９を介してＷｅｂ共有サーバ５８に接続されている。
【００６２】
補聴器５１は、図９に示すように、マイクロフォン６１からレシーバ（スピーカ）６２に向けて順に、Ａ／Ｄ変換器６３、音環境識別部６４、補聴処理部６５、Ｄ／Ａ変換器６６が接続されている。音環境識別部６４には、使用環境ログデータ収納部６７が接続されている。さらに、補聴処理部６５には、調整値データ収納部６８が接続されている。また、補聴処理部６５と使用環境ログデータ収納部６７とには、入力部７０が接続されている。
【００６３】
フィッティング器５５は、上述のように、入力部５６と表示部５７とが接続されている。この内、入力部５６には、調整値書換え部６９が接続されている。表示部５７には、調整値メモリ７０ａが接続されている。調整値書換え部６９には、基本差分データ収納部７１とメモリラベル収納部７２と接続ボックス５４内の補聴器書込み部７３とが接続されている。
【００６４】
調整値メモリ７０ａには、サーバ送信部７４と、サーバ受信部７５と、補聴器読込み部７６とが接続されている。サーバ送信部７４は、補聴器５１を使用する使用者５２の聴力データおよび使用環境ログデータ、調整値パラメータを、Ｗｅｂ共有サーバ５８に送信する。サーバ受信部７５は、Ｗｅｂ共有サーバ５８から返信された複数種の使用環境毎の調整値パラメータを受信する。補聴器読込み部７６は、補聴器５１から使用環境ログデータと調整値パラメータを読み込む。
【００６５】
一方、Ｗｅｂ共有サーバ５８は、図１０に示すように、データ受信部７６ａと、データ送信部７７とを有する。データ受信部７６ａは、サーバ送信部７４から送信された使用者５２の聴力データおよび使用環境ログデータ、調整値パラメータを受信する。データ送信部７７は、サーバ受信部７５に対して、複数種の使用環境毎の調整値パラメータを送信する。
【００６６】
また、データ受信部７６ａの出力側には、データ格納部７８と近傍ユーザ特定部７９とが互いに並列的に接続されている。データ格納部７８の出力側には、顧客データ収納部８０が接続されている。顧客データ収納部８０の出力側には、近傍ユーザ特定部７９が接続されている。また、近傍ユーザ特定部７９の出力側とデータ送信部７７の入力側との間には、メモリ別調整値抽出部８１、使用環境クラスタリング部８２、使用環境類似ユーザ特定部８３がこの順に接続されている。
【００６７】
本実施形態の補聴器フィッティングシステムでは、以上のような構成において、補聴器５１の初回のフィッティングは、周知の方法により、図１１（ａ）に示すフローに従って行われる。
【００６８】
すなわち、まず、別途測定された使用者５２の聴力データが、図９の入力部５６へ入力される（図１１（ａ）のＳ１）。
次に、周知の方法により、所定間隔毎の周波数の音を使用者５２に聞かせながら、初期調整を行う（図１１（ａ）のＳ２）。
【００６９】
次に、使用者５２の要望に応じて、メモリラベル収納部７２内から、例えば、４つの使用環境ラベルを選択する（図１１（ａ）のＳ３）。
ここで、使用環境ラベルとは、使用者５２が補聴器を使いたいと考える環境の分類名であって、環境ごとに調整値パラメータが異なる。本実施形態では、メモリ６８ａ，６８ｂ，６８ｃ，６８ｄにそれぞれ異なる環境が設定される。
【００７０】
使用者５２が補聴器を使いたいと考える環境とは、例えば、通常の環境、騒音下の環境、電車乗車中の環境、パーティーに出席中の環境、テレビ試聴中の環境、音楽鑑賞中の環境、静かな場所にいるときの環境等がある。通常の環境に対応する使用環境ラベルは、基本用ラベルである。騒音下の環境に対応する使用環境ラベルは、騒音下用ラベルである。電車乗車中の環境に対応する使用環境ラベルは、電車用ラベルである。パーティーに出席中の環境に対応する使用環境ラベルは、パーティー用ラベルである。テレビ試聴中の環境に対応する使用環境ラベルは、テレビ用ラベルである。音楽鑑賞中の環境に対応する使用環境ラベルは、音楽用ラベルである。静かな場所にいるときの環境に対応する使用環境ラベルは、静か用ラベルである。
【００７１】
具体的には、図１３に示すように、メモリラベル収納部７２内に、基本用ラベル７２ａ、騒音下用ラベル７２ｂ、電車用ラベル７２ｃ、パーティー用ラベル７２ｄ、テレビ用ラベル７２ｅ、音楽用ラベル７２ｆ、静か用ラベル７２ｇが用意されており、この内から４つの使用環境ラベルが選択される。
【００７２】
本実施形態では、図１２に示すように、補聴器５１の調整値データ収納部６８に、４つのメモリ６８ａ，６８ｂ，６８ｃ，６８ｄが用意されている。メモリ６８ａには、電気的識別のために基本用ラベル７２ａが貼り付けられている。メモリ６８ｂには、電気的識別のためにテレビ用ラベル７２ｅが貼り付けられている。メモリ６８ｃには、電気的識別のために音楽用ラベル７２ｆが貼り付けられている。メモリ６８ｄには、電気的識別のために電車用ラベル７２ｃが貼り付けられている。
【００７３】
この時、基本用ラベル７２ａが貼り付けられたメモリ６８ａには、上述した初期調整時の調整値パラメータが入力される。また、この初期調整時の調整値パラメータは、基本となるものであるので、その他の騒音下用ラベル７２ｂ、電車用ラベル７２ｃ、パーティー用ラベル７２ｄ、テレビ用ラベル７２ｅ、音楽用ラベル７２ｆ、静か用ラベル７２ｇ用の調整値パラメータに対する差異は、上述した基本差分データ収納部７１に収納される。
【００７４】
したがって、上述のように、テレビ用ラベル７２ｅ、音楽用ラベル７２ｆ、電車用ラベル７２ｃが選択されると、図１２に示すように、調整値書換え部６９（図９参照）によって自動的にテレビ用ラベル７２ｅ、音楽用ラベル７２ｆ、電車用ラベル７２ｃに対する調整値パラメータが形成される。
【００７５】
そして、このようにして形成された図１２に示す基本用ラベル７２ａ、テレビ用ラベル７２ｅ、音楽用ラベル７２ｆ、電車用ラベル７２ｃと、それぞれの調整値パラメータが、補聴器書込み部７３を介して、調整値データ収納部６８の、４つのメモリ６８ａ，６８ｂ，６８ｃ，６８ｄに書き込まれる（図１１（ａ）のＳ４）。
【００７６】
使用者５２は、以上のように設定された調整値パラメータによる補聴作用を得た補聴器５１を用いて日常生活を送る。つまり、使用者５２は、通常状態では、補聴器５１の入力部７０を介して、補聴処理部６５においてメモリ６８ａの調整値パラメータによる補聴処理を受ける状態を選択する。テレビを試聴するときには、補聴器５１の入力部７０を介して、補聴処理部６５においてメモリ６８ｂの調整値パラメータによる補聴処理を受ける状態を選択する。音楽を聴くときには、補聴器５１の入力部７０を介して、補聴処理部６５においてメモリ６８ｃの調整値パラメータによる補聴処理を受ける状態を選択する。電車内においては、補聴器５１の入力部７０を介して、補聴処理部６５においてメモリ６８ｄの調整値パラメータによる補聴処理を受ける状態を選択する。
【００７７】
以上のように、補聴器５１の入力部７０を介して、使用環境に応じてメモリ６８ａ〜６８ｄが選択使用されると、音環境識別部６４において、その時の音圧レベルが４秒毎に１回判断される。その結果、図１５に示すように、使用環境ログデータが使用環境ログデータ収納部６７に記録される。
【００７８】
ここで、使用環境ログデータとは、それぞれのメモリを使用しているときに、どれくらいの音圧レベルがどれくらいの時間、補聴器５１のマイクロフォン６１から入力されるかを示すデータである。
【００７９】
なお、使用環境ログデータ収納部６７の記録は、１週間分の結果を収納したものである。本実施形態では、使用環境ログデータの説明として音圧レベルを利用するが、レベル範囲の判定を、例えば、ＨＭＭ（Hidden Markov Model（隠れマルコフモデル））を利用した音環境識別の結果と置き換えることも可能である。
【００８０】
図１５は、通常状態の使用時において、補聴器５１の入力部７０が操作されて、補聴処理部６５においてメモリ６８ａの調整値パラメータによる補聴処理を受ける状態が選択された場合には、（レベル範囲１）が１０％、（レベル範囲２）が７０％、（レベル範囲３）が１５％、（レベル範囲４）が５％、（レベル範囲５）が０％、（レベル範囲６）が０％であったことを示す。
【００８１】
また、テレビを試聴する際に、補聴器５１の入力部７０が操作されて、補聴処理部６５においてメモリ６８ｂの調整値パラメータによる補聴処理を受ける状態が選択された場合には、（レベル範囲１）が０％、（レベル範囲２）が５％、（レベル範囲３）が３０％、（レベル範囲４）が３０％、（レベル範囲５）が３０％、（レベル範囲６）が５％であったことを示す。
【００８２】
さらに、音楽を聴く際に、補聴器５１の入力部７０が操作されて、補聴処理部６５においてメモリ６８ｃの調整値パラメータによる補聴処理を受ける状態が選択された場合には、（レベル範囲１）が０％、（レベル範囲２）が０％、（レベル範囲３）が２０％、（レベル範囲４）が７０％、（レベル範囲５）が１０％、（レベル範囲６）が０％であったことを示す。
【００８３】
さらにまた、電車内で使用する際に、補聴器５１の入力部７０が操作されて、補聴処理部６５においてメモリ６８ｄの調整値パラメータによる補聴処理を受ける状態が選択された場合には、（レベル範囲１）が０％、（レベル範囲２）が０％、（レベル範囲３）が０％、（レベル範囲４）が０％、（レベル範囲５）が２０％、（レベル範囲６）が８０％であったことを示す。
【００８４】
なお、レベル範囲とは、音圧レベルの範囲を意味している。図１５に示す（レベル範囲１〜６）は、（レベル範囲１から６）に向かうに従って、音圧レベルが大きくなることを示している。
【００８５】
例えば、レベル範囲１は、音圧レベルが０〜４８ｄＢＳＰＬ、レベル範囲２は、音圧レベルが４８〜６０ｄＢＳＰＬ、レベル範囲３は、音圧レベルが６０〜７２ｄＢＳＰＬ、レベル範囲４は、音圧レベルが７２〜８４ｄＢＳＰＬ、レベル範囲５は、音圧レベルが８４〜９６ｄＢＳＰＬ、レベル範囲６は、音圧レベルが９６ｄＢＳＰＬ〜である。
【００８６】
図１５に示す状態は、補聴器５１の使用に際して必ずしも問題がある状況とは言えないが、使用者５２が利用する電車内はかなり騒がしいことが判り、補聴器５１の再調整時にはその点を考慮すべきである。
【００８７】
補聴器５１を再調整する際には、図８に示すように、補聴器５１を、フィッティング装置５３の接続ボックス５４を介してフィッティング器５５に接続する。そして、フィッティング器５５を、Ｗｅｂ共有サーバ５８に接続する。
【００８８】
すると、調整値データ収納部６８から使用者５２の聴力データと、４つのメモリ６８ａ，６８ｂ，６８ｃ，６８ｄに収納された基本用ラベル７２ａ、テレビ用ラベル７２ｅ、音楽用ラベル７２ｆ、電車用ラベル７２ｃと、それぞれの調整値パラメータとが、補聴器読込み部７６によって読み出される。また、補聴器読込み部７６によって、使用環境ログデータ収納部６７から、図１５に示した使用環境ログデータが読み出される（図１１（ｃ）のＳ５）。
【００８９】
そして、このようにして取得された使用者５２の聴力データと、４つのメモリ６８ａ，６８ｂ，６８ｃ，６８ｄに収納された基本用ラベル７２ａ、テレビ用ラベル７２ｅ、音楽用ラベル７２ｆ、電車用ラベル７２ｃと、それぞれの調整値パラメータおよび図１５に示す使用環境ログデータが、調整値メモリ７０ａに記録される。
【００９０】
その後、これらの使用者５２の聴力データ、４つのメモリ６８ａ，６８ｂ，６８ｃ，６８ｄに収納された基本用ラベル７２ａ、テレビ用ラベル７２ｅ、音楽用ラベル７２ｆ、電車用ラベル７２ｃと、それぞれの調整値パラメータおよび図１５に示す使用環境ログデータが、サーバ送信部７４からＷｅｂ共有サーバ５８に送信される（図１１（ｃ）のＳ６）。
【００９１】
Ｗｅｂ共有サーバ５８においては、これらの情報をデータ受信部７６ａにおいて受信し、データ格納部７８を介して顧客データ収納部８０に収納する。また、近傍ユーザ特定部７９においては、フィッティング装置５３から送信された使用者５２の聴力データに近いユーザが抽出される（図１１（ｃ）のＳ７、図１０と図１４のＳｔｅｐ１）。
【００９２】
聴力データが近いユーザの抽出には、各周波数の聴力値をベクトル表現し、ベクトル間距離で上位Ｎ人を近傍ユーザとする等の方法により実現できる。この時、１ｋ〜３ｋＨｚに重み付けする等して、会話帯域に重点を置くなどの工夫をしてもよい。
【００９３】
図１４においては、使用者５２は、（αさん）としている。
顧客データ収納部８０からは、（αさん）の聴力に近い聴力を有する人物としてＡさん、Ｂさん、Ｃさん、Ｄさんの４人を含むＮ人が抽出される。後段の説明では、便宜的にＮ人のうち、Ａさん、Ｂさん、Ｃさん、Ｄさんの４人について説明する。
【００９４】
続いて、メモリ別調整値抽出部８１においては、抽出されたＡさん、Ｂさん、Ｃさん、Ｄさんがその調整値データ収納部６８に設定している複数の使用環境の内から、使用者によって調整値データ収納部６８に設定された複数の使用環境に対応する使用環境毎の調整値パラメータを抽出する（図１１（ｃ）のＳ８、図１０と図１４のＳｔｅｐ２）。
【００９５】
使用者５２（αさん）については、上述のように、メモリ６８ａは基本用ラベル７２ａ、メモリ６８ｂはテレビ用ラベル７２ｅ、メモリ６８ｃは音楽用ラベル７２ｆ、メモリ６８ｄは電車用ラベル７２ｃに対応するように設定されている。Ａさんについては、基本用ラベル、音楽用ラベル、電車用ラベルおよびテレビ用ラベルが設定されている。Ｂさんについては、基本用ラベル、音楽用ラベル、電車用ラベルおよびパーティー用ラベルが設定されている。Ｃさんについては、基本用ラベル、電車用ラベル、電車用ラベルおよびテレビ用ラベルが設定されている。Ｄさんについては、基本用ラベル、電車用ラベル、電話用ラベルおよびテレビ用ラベルが設定されている。
【００９６】
従って、使用者５２の基本用ラベル７２ａの調整については、Ａさん、Ｂさん、Ｃさん、Ｄさんの４人が抽出される。テレビ用ラベル７２ｅの調整については、Ａさん、Ｃさん、Ｄさんの３人が抽出される。音楽用ラベル７２ｆの調整については、Ａさん、Ｂさんの２人が抽出される。電車用ラベル７２ｃの調整については、Ａさん、Ｂさん、Ｃさん、Ｄさんの４人が抽出される。
【００９７】
なお、ここでは、上述の通り、便宜的にＡさん、Ｂさん、Ｃさん、Ｄさんの４人について説明しているが、実際には、近傍ユーザＮ人の中から該当する人が抽出されるものとする。
【００９８】
次に、使用環境クラスタリング部８２と使用環境類似ユーザ特定部８３とにおいて、抽出された使用環境毎の調整値パラメータから、使用者５２（αさん）の使用環境ログデータに近い使用環境毎の調整値パラメータが抽出される（図１１（ｃ）のＳ９およびＳ１０、図１０と図１４のＳｔｅｐ３およびＳｔｅｐ４）。
【００９９】
具体的には、まず、使用環境クラスタリング部８２において、上記で抽出された同一のメモリが設定されている人物の該当するメモリの使用環境ログデータをクラスタリングする。
【０１００】
ここで、クラスタリングは、該当メモリのログデータをベクトル表現に置き換えｋ−ｍｅａｎｓ法などを用いることで実現することができる。ベクトル表現化は、各レベル範囲の割合を要素とすることで実現でき、例えば、使用者５２のメモリ６８ａのログデータは、（０．１，０．７，０．１５，０．０５，０，０）と表現できる。
【０１０１】
使用環境類似ユーザ特定部８３では、ｋ−ｍｅａｎｓ法によって得られたクラスタリング結果から、使用者５２と同一のクラスタに属する人物を特定すればよい。
【０１０２】
この結果、使用者５２（αさん）の基本用ラベル７２ａ（メモリ６８ａ）に近い使用環境ログデータを保有する人物として、Ａさん、Ｂさんが抽出される。また、使用者５２（αさん）のテレビ用ラベル７２ｅ（メモリ６８ｂ）に近い使用環境ログデータを保有する人物としてＣさん、Ｄさんが抽出される。さらに、使用者５２（αさん）の音楽用ラベル７２ｆ（メモリ６８ｃ）に近い使用環境ログデータを保有する人物として、Ｂさんが抽出される。さらにまた、使用者５２（αさん）の電車用ラベル７２ｃ（メモリ６８ｄ）に近い使用環境ログデータを保有する人物として、Ａさん、Ｄさんが抽出される。
【０１０３】
そして、このようにして抽出されたデータは、データ送信部７７からサーバ受信部７５に送信され、調整値メモリ７０ａに収納される（図１１（ｃ）のＳ１１）。
次に、サーバ受信部７５で受信した抽出された使用環境毎の調整値パラメータを、フィッティング装置５３の表示部５７に表示させる。
【０１０４】
図１６は、基本用ラベル７２ａ（メモリ６８ａ）に対する調整状態を示す表示部５７の表示画面を示している。
なお、図１６では、左右の補聴器５１に対する再調整を行うために、表示部５７には左右の補聴器５１用のデータが表示されているが、説明の便宜上、ここでは右耳用の補聴器５１についてだけ説明する。なお、左耳用の補聴器についても同様にして次に再調整すればよい。
【０１０５】
図１６に示すように、表示部５７には、使用者５２（αさん）の基本用ラベル７２ａ（メモリ６８ａ）に近い使用環境ログデータを保有する人物として、Ａさん、Ｂさんの基本用ラベル７２ａ（メモリ６８ａ）に対応する調整値パラメータが表示されている。
【０１０６】
このため、調整者６０は、現在の使用者５２自身の基本用ラベル７２ａ（メモリ６８ａ）に対応する調整値パラメータを用いて使用者５２に試聴させる。次に、調整者６０は、Ａさん、Ｂさんの基本用ラベル７２ａ（メモリ６８ａ）に対応する調整値パラメータを順次使用者５２に試聴させ、使用者５２にその内から最も好ましい調整値パラメータを選択させる。
【０１０７】
次に、調整者６０が、図１６の決定ボタン８４が押下すると、選択された調整値パラメータが、調整値書換え部６９、補聴器書込み部７３を介して、調整値データ収納部６８のメモリ６８ａに書き込まれ、再調整が完了する（図１１（ｃ）のＳ１２）。
【０１０８】
すると、図１７に示すように、表示部５７には、次のテレビ用ラベル７２ｅ（メモリ６８ｂ）のデータが表示される。具体的には、この表示部５７には、使用者５２（αさん）のテレビ用ラベル７２ｅ（メモリ６８ｂ）に近い使用環境ログデータを保有する人物として、Ｃさん、Ｄさんの基本用ラベル７２ａ（メモリ６８ａ）に対応する調整値パラメータが表示される。
【０１０９】
このため、調整者６０は、現在の使用者５２自身のテレビ用ラベル７２ｅ（メモリ６８ｂ）に対応する調整値パラメータを用いて使用者５１に試聴させ、次にＣさん、Ｄさんのテレビ用ラベル７２ｅ（メモリ６８ｂ）に対応する調整値パラメータを用いて、順次、使用者５２に試聴させ、使用者５２にその内から最も好ましい調整値パラメータを選択させる。
【０１１０】
次に、調整者６０によって図１６の決定ボタン８４が押下されると、使用者５２に選択された調整値パラメータが、調整値書換え部６９、補聴器書込み部７３を介して、調整値データ収納部６８のメモリ６８ｂに書き込まれ、再調整が完了する（図１１（ｃ）のＳ１２）。
【０１１１】
以降、調整者６０は、同様にして、音楽用ラベル７２ｆ（メモリ６８ｃ）、電車用ラベル７２ｃ（メモリ６８ｄ）の再調整を行う。
本実施形態によれば、使用者５２の実際の使用環境に合わせて、補聴器５１の再調整を、簡単かつ短時間で行ことができる。しかも、その際に利用するデータは、使用者５２の聴力に近く、実際の使用環境の近い他人のデータであるため、再調整後の使用者５２の満足度はきわめて高いものとなる。
【０１１２】
本発明の補聴器設定用プログラムは、補聴器使用者の聴力データに類似する複数の聴力データのそれぞれに対する補聴調整結果データを、顧客データ収納部から特定して引き出す処理と、
引き出された複数の前記補聴調整結果データを分類した複数のクラスタのそれぞれの中から代表的な補聴調整結果データをそれぞれ選択する処理と、
複数の前記代表的な補聴調整結果データの中から、前記補聴器使用者に最適であるものを初期調整候補として選択させる処理と、
前記初期調整候補の前記補聴調整結果データを、前記補聴器使用者にさらに適合するように微調整する処理と、
を備えた補聴器フィッティング方法をコンピュータに実行させる。
【０１１３】
本発明の補聴器設定用プログラムは、予め保存された複数の補聴調整結果データを類似度合いに基づいて複数のクラスタに分類する処理を、さらに備えている。
【０１１４】
本発明の補聴器調整プログラムは、サーバに接続されたフィッティング装置を用いた補聴器調整プログラムであって、
前記フィッティング装置から、補聴器使用者の聴力データ、使用環境ログデータおよび調整値パラメータを、前記サーバに送信する送信工程と、
前記サーバにて、前記送信工程で送信された前記補聴器使用者の聴力データに近いユーザを抽出する第１の抽出工程と、
前記第１の抽出工程で抽出されたユーザが設定している複数の使用環境の内から、前記補聴器使用者が設定している複数の使用環境に対応する、使用環境毎の調整値パラメータを抽出する第２の抽出工程と、
前記第２の抽出工程で抽出された使用環境毎の調整値パラメータから、前記補聴器使用者の使用環境ログデータに近い使用環境毎の調整値パラメータを抽出する第３の抽出工程と、
前記サーバが前記フィッティング装置に、前記抽出された使用環境毎の調整値パラメータを送信する工程と、
前記第３の抽出工程で抽出された使用環境毎の調整値パラメータを、前記フィッティング装置から前記補聴器に供給する工程と、
を備えた補聴器フィッティング方法をコンピュータに実行させる。
【０１１５】
本発明の補聴器調整プログラムは、フィッティング装置を用いて補聴器の調整を行う補聴器調整プログラムであって、
前記フィッティング装置から、補聴器使用者の聴力データ、使用環境ログデータおよび調整値パラメータを送信する送信工程と、
前記送信工程において送信された前記補聴器使用者の聴力データに近いユーザを抽出する第１の抽出工程と、
前記第１の抽出工程において抽出されたユーザが設定している複数の使用環境の内から、前記補聴器使用者が設定している複数の使用環境に対応する、使用環境毎の調整値パラメータを抽出する第２の抽出工程と、
前記第２の抽出工程で抽出された使用環境毎の調整値パラメータから、前記補聴器使用者の使用環境ログデータに近い使用環境毎の調整値パラメータを抽出する第３の抽出工程と、
前記フィッティング装置に対して、前記第３の抽出工程において抽出された使用環境毎の調整値パラメータを送信する工程と、
前記第３の抽出工程で抽出された使用環境毎の調整値パラメータを、前記フィッティング装置から前記補聴器に供給する工程と、
を備えた補聴器フィッティング方法をコンピュータに実行させる。
【０１１６】
なお、補聴器調整プログラムは、例えば、ＣＤ−ＲＯＭ等の記憶媒体から、あるいは通信回線を介したダウンロード等により、任意のパソコン等へインストールすることによって、補聴器フィッティング装置や補聴器フィッティングシステムを構成することができる。
【０１１７】
本発明の補聴器フィッティングシステムは、補聴器に接続される補聴器フィッティング装置とサーバとを含むように構成された補聴器フィッティングシステムであって、
補聴器使用者の聴力データが入力される入力部と、
前記補聴器から複数種類の使用環境毎の使用環境ログデータおよび前記複数種類の使用環境毎の調整値パラメータを読み込む補聴器読込み部と、
前記聴力データ、前記使用環境ログデータおよび前記調整値パラメータを、前記サーバに送信するサーバ送信部と、
前記サーバ送信部から送信された前記補聴器使用者の前記聴力データに近いユーザを抽出し、抽出された前記ユーザが設定している複数の使用環境の内から、前記補聴器使用者が設定している複数の使用環境に対応する使用環境毎の調整値パラメータを抽出し、抽出された前記使用環境毎の調整値パラメータから、前記補聴器使用者の使用環境ログデータに近い使用環境毎の調整値パラメータを抽出して送信するサーバと、
前記サーバにおいて抽出、送信された複数種類の使用環境毎の調整値パラメータを受信するサーバ受信部と、
前記調整値パラメータを、前記補聴器の調整値データ収納部に書き込む補聴器書込み部と、
を備えている。
【０１１８】
本発明の補聴器フィッティングシステムによれば、補聴器調整装置に接続されたサーバにおいて、補聴器から送信された補聴器使用者の聴力データに近いユーザを抽出し、抽出されたユーザが設定している複数の使用環境の内から補聴器使用者が設定している複数の使用環境に対応する使用環境毎の調整値パラメータを抽出し、抽出された使用環境毎の調整値パラメータから補聴器使用者の使用環境ログデータに近い使用環境毎の調整値パラメータを抽出して補聴器に返信し補聴器に書き込むので、補聴器使用者の使用環境毎の調整値パラメータを、その使用者の使用環境に応じて極めて簡単に設定することができる。この結果、補聴器設定に対する使用者の満足度を高めることができる。
【０１１９】
（他の実施形態）
（Ａ）
上記実施形態１〜３では、顧客データ収納部１０，１１０が、補聴器フィッティング装置内に含まれている例を挙げて説明した。しかし、本発明はこれに限定されるものではない。
【０１２０】
例えば、補聴器フィッティング装置、あるいは補聴器フィッティングシステムに対して接続される外部記憶装置やインターネット上に存在するストレージ等を、顧客データ収納部として用いてもよい。
【０１２１】
（Ｂ）
上記実施形態４では、Ｗｅｂ共有サーバ５８上に、顧客データ収納部８０、近傍ユーザ特定部７９、使用環境クラスタリング部８２等が存在しており、Ｗｅｂ共有サーバ５８において各種処理を実行する例を挙げて説明した。しかし、本発明はこれに限定されるものではない。
【０１２２】
例えば、上記実施形態１〜３のように、顧客データ収納部、近傍ユーザ特定部、使用環境クラスタリング部等が補聴器フィッティング装置内に設けられており、上記実施形態４において説明したＷｅｂ共有サーバ５８において実行された処理を、補聴器フィッティング装置内において実行してもよい。
【０１２３】
この場合、顧客データ収納部は、必ずしも補聴器フィッティング装置内に設けられている必要はなく、補聴器フィッティング装置に接続された外部記憶装置等に設けられていてもよい。
【０１２４】
（Ｃ）
上記実施形態１〜３では、各聴力レベルに対応する複数の補聴調整結果データを類似度合いに基づいて分類した複数のクラスタから、代表的な補聴調整結果データに基づいて処理された音声等を使用者に試聴させて補聴器フィッティングを行う例を挙げて説明した。しかし、本発明はこれに限定されるものではない。
【０１２５】
例えば、上記実施形態１〜３において説明した処理に、上記実施形態４で説明した使用環境に基づく調整を組み合わせて実施してもよい。
これにより、補聴器の使用者にとって、自身の好みや使用環境を考慮して、さらに使い心地の良い補聴器フィッティングを行うことができる。
【産業上の利用可能性】
【０１２６】
本発明によると、補聴器の使用設定を短時間で行うことができるとともに、実際の使用状況に対応した状態で行うことができることから、補聴器のフィッティング装置として広く活用が期待される。
【符号の説明】
【０１２７】
１    補聴器フィッティング装置
２    入力部
３    表示部
４    補聴器
５    接続ボックス
６，７    配線
８    使用者
９    調整者
１０    顧客データ収納部
１１    近傍ユーザ特定部
１２    聴力入力部
１３    クラスタリング部
１４    代表特性特定部
１５    初期調整候補選択部
１６    微調整部
１７    調整値入力部
１８    調整値書換え部
１９    補聴器書き込み部
２０    メイン調整値メモリ
２１    決定ボタン
５１    補聴器
５２    使用者
５３    フィッティング装置（補聴器フィッティング装置）
５４    接続ボックス
５５    フィッティング器
５６    入力部
５７    表示部
５８    Ｗｅｂ共有サーバ
５９    回線
６０    調整者
６１    マイクロフォン
６２    レシーバ
６３    Ａ／Ｄ変換器
６４    音環境識別部
６５    補聴処理部
６６    Ｄ／Ａ変換器
６７    使用環境ログデータ収納部
６８    調整値データ収納部
６９    調整値書換え部
７０    入力部
７０ａ    調整値メモリ
７１    基本差分データ収納部
７２    メモリラベル収納部
７３    補聴器書込み部
７４    サーバ送信部
７５    サーバ受信部
７６    補聴器読込み部
７６ａ    データ受信部
７７    データ送信部
７８    データ格納部
７９    近傍ユーザ特定部
８０    顧客データ収納部
８１    メモリ別調整値抽出部
８２    使用環境クラスタリング部
８３    使用環境類似ユーザ特定部
８４    決定ボタン
１１０  顧客クラスデータ収納部
【手続補正２】
【補正対象書類名】特許請求の範囲
【補正対象項目名】全文
【補正方法】変更
【補正の内容】
【特許請求の範囲】
【請求項１】
使用者の聴力データが入力される聴力入力部と、
前記聴力入力部から入力された聴力データに類似する複数の聴力データに対する複数の補聴調整結果データから代表特性を抽出する代表特性特定部と、
前記代表特性特定部によって代表特性として抽出された複数の補聴調整結果データを補聴特性として切り替えながら出力して、前記使用者にとって最適なものを選択させる初期調整候補選択部と、
前記初期調整候補選択部によって切り替えられた複数の補聴調整結果データから選択された補聴調整結果データを、前記使用者にとってさらに適合するように微調整を行う微調整部と、
を備えている補聴器フィッティング装置。
【請求項２】
前記代表特性は、前記聴力入力部から入力された聴力データに類似する複数の聴力データに対する複数の補聴調整結果データを、類似度合いに基づいて分類した各クラスタに含まれる代表的な補聴調整結果データである、
請求項１に記載の補聴器フィッティング装置。
【請求項３】
前記聴力入力部から入力された聴力データに類似する複数の聴力データに対する複数の補聴調整結果データを、複数の聴力データに対応する複数の補聴調整結果データを保存した顧客データ収納部から特定して引き出す近傍ユーザ特定部と、
前記近傍ユーザ特定部において引き出された複数の前記補聴調整結果データを類似度合いに基づいて分類するクラスタリング部と、
さらに備えている、
請求項１に記載の補聴器フィッティング装置。
【請求項４】
前記顧客データ収納部には、前記聴力データごとに予め類似度合いに基づいて複数に分類された複数のクラスタと、前記複数のクラスタごとに対応する代表的な補聴調整結果データとが予め保存されており、
前記代表特性特定部は、入力された前記聴力データに対応する複数の前記クラスタの中から代表的な前記補聴調整結果データを前記顧客データ収納部から抽出する、
請求項１に記載の補聴器フィッティング装置。
【請求項５】
予め複数の聴力データにそれぞれ対応する補聴調整結果データを保存した顧客データ収納部を、さらに備えている、
請求項１から４のいずれか１項に記載の補聴器フィッティング装置。
【請求項６】
前記微調整部は、前記補聴調整結果データを微調整するための調整値を入力する調整値入力部と、前記調整値入力部から前記調整値が入力され前記補聴調整結果データを前記調整値に基づいて書き換える調整値書換え部と、前記調整値書換え部において書き換えられた前記補聴調整結果データを前記補聴器に書き込む補聴器書き込み部と、を有する、
請求項１から５のいずれか１項に記載の補聴器フィッティング装置。
【請求項７】
補聴器使用者の聴力データが入力される入力部と、
前記補聴器から複数種類の使用環境毎の使用環境ログデータおよび前記複数種類の使用環境毎の調整値パラメータを読み込む補聴器読込み部と、
前記補聴器読込み部において読み込まれた前記聴力データ、前記使用環境ログデータおよび前記調整値パラメータから前記補聴器使用者の前記聴力データに近いユーザを抽出し、抽出された前記ユーザが設定している複数の使用環境の内から、前記補聴器使用者が設定している複数の使用環境に対応する使用環境毎の調整値パラメータを抽出し、抽出された前記使用環境毎の調整値パラメータから、前記補聴器使用者の使用環境ログデータに近い使用環境毎の調整値パラメータを抽出する調整値パラメータ抽出部と、
前記調整値パラメータ抽出部によって抽出された前記調整値パラメータを、前記補聴器の調整値データ収納部に書き込む補聴器書込み部と、
を備えている補聴器フィッティング装置。
【国際調査報告】
2011132403.tif 000020
2011132403.tif 000021
2011132403.tif 000022
2011132403.tif 000023
2011132403.tif 000024
2011132403.tif 000025
2011132403.tif 000026
2011132403.tif 000027